(57)【特許請求の範囲】
【請求項１】
ｉ）Ａ）平均式：
（Ｒ１３ＳｉＯ０．５）ｖ（Ｒ２２ＳｉＯ）ｘ（Ｒ２ＨＳｉＯ）ｙ
（式中、Ｒ１は、水素またはＲ２であり、
Ｒ２は、一価ヒドロカルビルであり、
ｖ≧２、ｘ≧０、ｙ≧２である）
のシロキシ単位を含むオルガノ水素シロキサン、
Ｂ）Ｈ２Ｃ＝ＣＨＣＨ２Ｏ［Ｃ３Ｈ６Ｏ］ｄＣＨ２ＣＨ＝ＣＨ２
Ｈ２Ｃ＝Ｃ（ＣＨ３）ＣＨ２Ｏ［Ｃ３Ｈ６Ｏ］ｄＣＨ２Ｃ（ＣＨ３）＝ＣＨ２
ＨＣ≡ＣＣＨ２Ｏ［Ｃ３Ｈ６Ｏ］ｄＣＨ２Ｃ≡ＣＨ、または
ＨＣ≡ＣＣ（ＣＨ３）２Ｏ［Ｃ３Ｈ６Ｏ］ｄＣ（ＣＨ３）２Ｃ≡ＣＨ
（式中、ｄは１から１００までである）
から選択されるポリオキシアルキレン、および
Ｃ）ヒドロシリル化触媒
を含み、
Ｄ）末端不飽和脂肪族炭化水素基を１個有する有機化合物
を含むかまたは含まない、
混合物の反応生成物を含むシリコーン-有機エラストマー、ならびに
ｉｉ）キャリア液体
から得られたシリコーン-有機エラストマーゲルと、
Ｅ）パーソナルケアまたはヘルスケア活性成分と
を含むパーソナルケアまたはヘルスケア組成物。
【請求項２】
前記シリコーン-有機エラストマーゲルが、
２〜９５重量％のｉ）のシリコーン-有機エラストマーと、
５〜９８重量％のｉｉ）のキャリア液体と
を含有する、請求項１に記載の組成物。
【請求項３】
前記キャリア液体が、有機液体である、請求項１または２に記載の組成物。
【請求項４】
前記有機液体が、脂肪族炭化水素である、請求項３に記載の組成物。
【請求項５】
Ｂ）中の不飽和脂肪族炭化水素基の、Ａ）中のＳｉＨ単位に対するモル比が１より大である、請求項１に記載の組成物。
【請求項６】
Ａ）のオルガノ水素シロキサンが、下記平均式：
（Ｒ１３ＳｉＯ０．５）ｖ（Ｒ２２ＳｉＯ）ｘ（Ｒ２ＨＳｉＯ）ｙ（Ｒ２ＳｉＯ１．５）ｚ、
（Ｒ１３ＳｉＯ０．５）ｖ（Ｒ２２ＳｉＯ）ｘ（Ｒ２ＨＳｉＯ）ｙ（ＳｉＯ２）ｗ、
（Ｒ１３ＳｉＯ０．５）ｖ（Ｒ２２ＳｉＯ）ｘ（Ｒ２ＨＳｉＯ）ｙ（ＳｉＯ２）ｗ（Ｒ２ＳｉＯ１．５）ｚ、
（式中、
Ｒ１は、水素またはＲ２であり、
Ｒ２は、一価ヒドロカルビルであり、
ｖ≧２、ｗ≧０、ｘ≧０、ｙ≧２、かつｚ≧０である）
を有するオルガノ水素シロキサンまたはこれらの任意の混合物から選択される、請求項１に記載の組成物。
【請求項７】
前記オルガノ水素シロキサンが、平均式：
（ＣＨ３）３ＳｉＯ［（ＣＨ３）２ＳｉＯ］ｘ［（ＣＨ３）ＨＳｉＯ］ｙＳｉ（ＣＨ３）３
（式中、ｘ≧０、かつｙ≧２である）
を有するジメチル-メチル水素ポリシロキサンである、請求項１に記載の組成物。
【請求項８】
前記ヒドロシリル化触媒が白金族金属含有触媒である、請求項１に記載の組成物。
【請求項９】
前記オルガノ水素シロキサンが、平均式：
（ＣＨ３）３ＳｉＯ［（ＣＨ３）２ＳｉＯ］ｘ［（ＣＨ３）ＨＳｉＯ］ｙＳｉ（ＣＨ３）３
（式中、ｘ≧０、かつｙ≧２である）
を有するジメチル-メチル水素ポリシロキサンであり、
前記ポリオキシアルキレンが、
Ｈ２Ｃ＝ＣＨＣＨ２Ｏ［Ｃ３Ｈ６Ｏ］ｄＣＨ２ＣＨ＝ＣＨ２
（式中、ｄは１から１００までである）
であり、かつ、
前記キャリア液体が、脂肪族炭化水素である、
請求項１に記載の組成物。
【請求項１０】
前記脂肪族炭化水素が、イソドデカンである、請求項９に記載の組成物。
【請求項１１】
前記Ｅ）が、ビタミン、サンスクリーン、植物抽出物、または香料から選択されるパーソナルケア活性成分である、請求項１に記載の組成物。
【請求項１２】
Ｅ）が、局所適用用活性薬剤、タンパク質、酵素、抗真菌剤、または抗菌剤から選択されるヘルスケア活性成分である、請求項１に記載の組成物。
【請求項１３】
Ｅ）が、オクチルメトキシシンナメートである、請求項１に記載の組成物。
【請求項１４】
前記パーソナルケア組成物が、カラー化粧品、口紅、ファンデーション、シャンプー、ヘアコンディショナー、ヘア固定剤、シャワーゲル、皮膚の保湿剤、皮膚のコンディショナー、ボディコンディショナー、日焼け防止製品、制汗剤、またはデオドラントに用いる組成物である、請求項１に記載の組成物。
【発明の詳細な説明】
【技術分野】
【０００１】
本出願は、２００７年９月２６日に出願された米国特許出願ＵＳ６０／９７５，３１８の優先権を請求する。
本開示は、シリコーン-有機ゲルおよびゲルペーストを含有するパーソナルケア組成物に関する。このゲルおよびゲルペースト組成物は、キャリア液体中のシリコーン-有機エラストマーから形成される。このシリコーン-有機エラストマーは、直鎖状または分岐状オルガノ水素シロキサン、α,ω‐不飽和ポリオキシアルキレン、およびヒドロシリル化触媒の反応生成物である。
【背景技術】
【０００２】
シリコーンエラストマーゲルは、適用時に独特の感覚プロフィルをもたらすことによって、パーソナルケア配合物の美的感覚を高めるために広く使われている。ほとんどのシリコーンエラストマーゲルは、ＳｉＨポリシロキサンと、不飽和炭化水素置換基を有する他のポリシロキサン、例えばビニル官能性ポリシロキサンとを、ヒドロシリル化架橋反応させることによって、あるいは、ＳｉＨポリシロキサンと、炭化水素ジエンとを架橋させることによって得られる。シリコーンエラストマーを、キャリア液体（例えば、揮発性シリコーンなど）の存在下で形成させて、ゲル化組成物を得ることができる。あるいは、シリコーンエラストマーを、高固形分で形成させ、続いてせん断にかけ、キャリア液体と混合し、ゲルまたはペースト状組成物を作ることもできる。このようなシリコーンエラストマーの代表的な例は、米国特許第５，８８０，２１０号および米国特許第５，７６０，１１６号に教示されている。
【０００３】
シリコーンエラストマーは、パーソナルケア配合物の改良に飛躍的な進歩をもたらしてきたが、その使用を制限する幾つかの欠点を有している。例えば、大部分がジメチルシロキサン含量であるシリコーンエラストマーは、有機ベースの溶媒およびキャリア液体のゲル化には効果が小さい。ジメチルシロキサン含量が高いシリコーンエラストマーゲル組成物は、多くのパーソナルケア成分との相溶性も限られている。例えば、広く使われているサンスクリーン剤であるオクチルメトキシシンナメートは、これらのシリコーンエラストマーゲルの多くにおいて限られた溶解性しか有さない。別の問題は、そのような非相溶性成分の存在下で、シリコーンエラストマーゲルの粘度が減少することである。したがって、有機溶媒をゲル化することができるシリコーンエラストマーを見出す必要がある。さらに、シリコーンエラストマーゲルに付随する美的感覚を維持しながら、多くのパーソナルケア成分との高められた相溶性を有するシリコーンエラストマーゲルを見出す必要がある。この目的を達成するため、シリコーンエラストマーと各種のパーソナルケア成分との相溶性を改良するための多くの試みがなされてきた。これらの試みでは、アルキル、ポリエーテル、アミンまたは他の有機官能性基が、シリコーン-有機エラストマー骨格にグラフトされてきた。このような有機官能性シリコーンエラストマーの代表例は、米国特許第５，８１１，４８７号、米国特許第５，８８０，２１０号、米国特許第６，２００，５８１号、米国特許第５，２３６，９８６号、米国特許第６，３３１，６０４号、米国特許第６，２６２，１７０号、米国特許第６，５３１，５４０号、および米国特許６，３６５，６７０号に教示されている。
【先行技術文献】
【特許文献】
【０００４】
【特許文献１】米国特許第５，８８０，２１０号
【特許文献２】米国特許第５，７６０，１１６号
【発明の概要】
【発明が解決しようとする課題】
【０００５】
しかし、シリコーンエラストマーをベースとするゲルの相溶性、特に有機物をベースとする揮発性液体およびパーソナルケア成分との相溶性を改良することが、依然として求められている。そのように改良される相溶性は、感覚的な美的プロファイルを犠牲にしてはならない。さらに、キャリア液体中のシリコーンエラストマーのゲル化または増粘化効率は、維持されるか、あるいは改良されるべきである。
【０００６】
本発明者らは、特定のポリオキシアルキレン架橋剤に基づくシリコーン-有機エラストマーが、効率的にキャリア液体のゲル化組成物をもたらすことを見出した。得られるゲル化組成物はまた、追加的利点、例えば、多くの通常のパーソナルケア成分との改良された相溶性を、感覚的美観を保持しながら有し、したがって、さまざまなパーソナルケアおよびヘルスケア配合物に有用である。
【課題を解決するための手段】
【０００７】
本発明は、パーソナルケアまたはヘルスケア組成物であって、
ｉ）Ａ）平均式：
（Ｒ１３ＳｉＯ０．５）ｖ（Ｒ２２ＳｉＯ）ｘ（Ｒ２ＨＳｉＯ）ｙ
（式中、Ｒ１は、水素またはＲ２であり、
Ｒ２は、一価ヒドロカルビルであり、
ｖ≧２、ｘ≧０、ｙ≧２である）
のシロキシ単位を含むオルガノ水素シロキサン、
Ｂ）平均式：
Ｒ３Ｏ‐［（Ｃ２Ｈ４Ｏ）ｃ（Ｃ３Ｈ６Ｏ）ｄ（Ｃ４Ｈ８Ｏ）ｅ］‐Ｒ３
（式中、
Ｒ３は、２〜１２個の炭素原子を有する一価不飽和脂肪族炭化水素基であり、
ｃは、０〜１００であり、
ｄは、０〜１００であり、
ｅは、０〜１００であり、
ただし、（ｄ＋ｅ）／（ｃ＋ｄ＋ｅ）の比が０．５よりも大きい）
を含むポリオキシアルキレン、
Ｃ）ヒドロシリル化触媒、および
Ｄ）場合により、末端不飽和脂肪族炭化水素基を１個有する有機化合物
の反応生成物を含むシリコーン-有機エラストマー、ならびに
ｉｉ）キャリア液体
から得られたシリコーン-有機エラストマーゲルと、
Ｅ）パーソナルケアまたはヘルスケア活性成分と
を含む組成物に関する。
【０００８】
本開示のパーソナルケアまたはヘルスケア組成物は、シリコーン-有機エラストマーゲルを含む。本開示のシリコーン-有機エラストマーゲルおよびゲルぺースト組成物は、ｉ）シリコーン-有機エラストマー〔成分Ａ）、Ｂ）、Ｃ）および任意のＤ）の反応から得られるもの〕と、ｉｉ）キャリア液体と、Ｅ）パーソナルケアまたはヘルスケア活性成分とを含む。
【０００９】
（ｉ）シリコーン-有機エラストマー
本開示のシリコーン-有機エラストマーは、オルガノ水素シロキサン、α,ω‐不飽和ポリオキシアルキレン、およびヒドロシリル化触媒〔成分Ａ）、Ｂ）、およびＣ）の各成分〕のヒドロシリル化反応生成物として得ることができる。用語「ヒドロシリル化」は、触媒（例えば、成分Ｃ）の存在下、ケイ素に結合した水素を有する有機ケイ素化合物（例えば、成分Ａ）を、脂肪族不飽和を有する化合物（例えば、成分Ｂ）に付加反応させることを意味する。ヒドロシリル化反応は当技術分野では公知であり、そのような公知な方法または技術はいずれも、成分Ａ）、Ｂ）、およびＣ）のヒドロシリル化反応を行わせて、本開示の成分ｉ）であるシリコーン-有機エラストマーを製造するために用いることができる。
【００１０】
本シリコーン-有機エラストマーは、２〜３０個の炭素を含有する炭化水素基、ポリオキシアルキレン基、およびこれらの混合から独立に選択される、側鎖（pendant）の非架橋部分を含むこともできる。このような側鎖の基は、
成分Ｄ’）２〜３０個の炭素を含有し、末端不飽和脂肪族基を１個有する炭化水素、および／または
成分Ｄ”）末端不飽和脂肪族基を１個有するポリオキシアルキレン
が、シリコーン-有機エラストマーに、ヒドロシリル化反応によって任意に付加することによって得られる。
【００１１】
本シリコーン-有機エラストマーを製造するためのヒドロシリル化反応は、溶媒の存在下で行うことができ、溶媒は、その後、公知の技術により除去することができる。あるいは、ヒドロシリル化反応は、成分ｉｉ）として記載するキャリア液体と同じ溶媒中で行うことができる。
【００１２】
Ａ）オルガノ水素シロキサン
本発明の成分Ａ）は、直鎖状または分岐状の、１分子当たり平均して少なくとも２個のＳｉＨ単位を有するオルガノ水素シロキサンである。本明細書において、オルガノ水素シロキサンは、ケイ素に結合した水素原子（ＳｉＨ）を有する任意のオルガノポリシロキサンである。オルガノポリシロキサンは、（Ｒ３ＳｉＯ０．５）、（Ｒ２ＳｉＯ）、（ＲＳｉＯ１．５）、または（ＳｉＯ２）のシロキシ単位（式中、Ｒは任意の有機基である）から独立に選ばれるシロキシ単位を含有するポリマーである。オルガノポリシロキサンの（Ｒ３ＳｉＯ０．５）、（Ｒ２ＳｉＯ）、（ＲＳｉＯ１．５）、または（ＳｉＯ２）のシロキシ単位において、Ｒがメチル基である場合には、これらのシロキシ単位は、通常、それぞれＭ、Ｄ、Ｔ，およびＱ単位と呼ばれる。これらのシロキシ単位は、種々の仕方で組み合わされて、環状、直鎖状、または分岐状構造を形成することができる。得られるポリマー構造の化学的かつ物理的特性はさまざまであり得る。例えば、オルガノポリシロキサンは、揮発性または低粘度の液体、高粘度の液体／ガム、エラストマーもしくはラバー、および樹脂であり得る。
【００１３】
オルガノ水素シロキサンは、少なくとも１個のＳｉＨを有するシロキシ単位を有するオルガノポリシロキサンである。すなわち、オルガノポリシロキサンの少なくとも１個のシロキシ単位は、式（Ｒ２ＨＳｉＯ０．５）、（ＲＨＳｉＯ）、または（ＨＳｉＯ１．５）を有する。したがって、本発明で有用なオルガノ水素シロキサンは、（Ｒ３ＳｉＯ０．５）、（Ｒ２ＳｉＯ）、（ＲＳｉＯ１．５）、（Ｒ２ＨＳｉＯ０．５）、（ＲＨＳｉＯ）、（ＨＳｉＯ１．５）または（ＳｉＯ２）のシロキシ単位の任意の数を、１分子中に平均して少なくとも２個のＳｉＨシロキシ単位が存在することを条件に、含んでいてよく、このオルガノ水素シロキサンは直鎖状または分岐状である。本明細書において、「直鎖状または分岐状」のオルガノ水素シロキサンは、環状オルガノ水素シロキサン構造を除外する。成分Ａ）は、直鎖状または分岐状オルガノ水素シロキサン単独であっても、以下の特性；構造、粘度、平均分子量、シロキサン単位、および配列の少なくとも１つが異なる二種以上の直鎖状または分岐状オルガノ水素シロキサンを含む組合せであってもよい。
【００１４】
オルガノ水素シロキサンは、平均式：
（Ｒ１３ＳｉＯ０．５）ｖ（Ｒ２２ＳｉＯ）ｘ（Ｒ２ＨＳｉＯ）ｙ
（式中、Ｒ１は水素またはＲ２であり、
Ｒ２は一価ヒドロカルビルであり、
ｖ≧２であり、
ｘ≧０、あるいはｘ＝１から５００、あるいはｘ＝１から２００であり、
ｙ≧２、あるいはｙ＝２から２００、あるいはｙ＝２から１００である）
を有することができる。
【００１５】
Ｒ２は、置換または非置換の脂肪族または芳香族ヒドロカルビルであってよい。一価非置換脂肪族ヒドロカルビルは、これらだけに限定されないが、アルキル基（例えばメチル、エチル、プロピル、ペンチル、オクチル、ウンデシル、およびオクタデシルなど）、ならびにシクロアルキル基（例えばシクロヘキシルなど）によって例示される。一価置換脂肪族ヒドロカルビルは、これらだけに限定されないが、ハロゲン化アルキル基（例えばクロロメチル、３−クロロプロピル、および３，３，３‐トリフルオロプロピルなど）によって例示される。芳香族炭化水素基は、これらだけに限定されないが、フェニル、トリル、キシリル、ベンジル、スチリル、および２‐フェニルエチルによって例示される。
【００１６】
一つの実施態様では、オルガノ水素シロキサンは、追加のシロキシ単位を含んでいてもよく、平均式：
（Ｒ１３ＳｉＯ０．５）ｖ（Ｒ２２ＳｉＯ）ｘ（Ｒ２ＨＳｉＯ）ｙ（Ｒ２ＳｉＯ１．５）ｚ、
（Ｒ１３ＳｉＯ０．５）ｖ（Ｒ２２ＳｉＯ）ｘ（Ｒ２ＨＳｉＯ）ｙ（ＳｉＯ２）ｗ、
（Ｒ１３ＳｉＯ０．５）ｖ（Ｒ２２ＳｉＯ）ｘ（Ｒ２ＨＳｉＯ）ｙ（ＳｉＯ２）ｗ（Ｒ２ＳｉＯ１．５）ｚ、
（式中、
Ｒ１は水素またはＲ２であり、
Ｒ２は一価ヒドロカルビルであり、
さらに、ｖ≧２、ｗ≧０、ｘ≧０、ｙ≧２、かつｚ≧０である）
を有していてよく、あるいは、これらの任意の混合物であってよい。
【００１７】
別の実施態様では、オルガノ水素シロキサンは、平均式；
（ＣＨ３）３ＳｉＯ［（ＣＨ３）２ＳｉＯ］ｘ［（ＣＨ３）ＨＳｉＯ］ｙＳｉ（ＣＨ３）３
（式中、ｘ≧０、あるいはｘ＝１から５００、あるいはｘ＝１から２００であり、
かつ、ｙ≧２、あるいはｙ＝２から２００、あるいはｙ＝２から１００である）
を有するジメチル・メチル水素ポリシロキサンから選ばれる。
【００１８】
オルガノ水素シロキサンの製造方法は周知であり、多くのものが市販されている。
【００１９】
Ｂ）ポリオキシアルキレン
成分Ｂ）は、平均式：
Ｒ３Ｏ‐［（ＣＨ２Ｈ４Ｏ）ｃ（Ｃ３Ｈ６Ｏ）ｄ（Ｃ４Ｈ８Ｏ）ｅ］‐Ｒ３
（式中、
Ｒ３は、２から１２個の炭素原子を有する一価不飽和脂肪族炭化水素基であり、
ｃは、０から１００までであり、
ｄは、０から１００までであり、
ｅは、０から１００までであり、
ただし、（ｄ＋ｅ）／（ｃ＋ｄ＋ｅ）の比は、０．５よりも大、あるいは０．８より大、あるいは０．９５より大である）
を有するポリオキシアルキレンである。
【００２０】
成分Ｂ）として有用なポリオキシアルキレンは、各分子鎖末端（すなわち、アルファおよびオメガ位）が２から１２個の炭素原子を有する不飽和脂肪族炭化水素基で末端化された任意のポリオキシアルキレンであってよい。ポリオキシアルキレンは、エチレンオキシド、プロピレンオキシド、ブチレンオキシド、１，２‐エポキシヘキサン、１，２‐エポキシオクタン、環状エポキシド（例えばシクロヘキセンオキシドまたはｅｘｏ‐２，３‐エポキシノルボルナンなど）の重合によって得られるものであってよい。ポリオキシアルキレン基は、オキシエチレン単位（Ｃ２Ｈ４Ｏ）、オキシプロピレン単位（Ｃ３Ｈ６Ｏ）、オキシブチレン単位（Ｃ４Ｈ８Ｏ）、またはこれらの混合を含むことができる。典型的には、ポリオキシアルキレン基は、モルベースで定義され、上記式中、下付き文字ｃ、ｄ、およびｅで表示されるとおり、過半数のオキシプロピレンまたはオキシブチレン単位を含んでいる。不飽和脂肪族炭化水素基は、アルケニルまたはアルキニル基であってよい。アルケニル基の代表的な、限定されない例は、次の構造により示される：Ｈ２Ｃ=ＣＨ‐、Ｈ２Ｃ=ＣＨＣＨ２‐、Ｈ２Ｃ=Ｃ（ＣＨ３）ＣＨ２‐、Ｈ２Ｃ=ＣＨＣＨ２ＣＨ２‐、Ｈ２Ｃ=ＣＨＣＨ２ＣＨ２ＣＨ２‐、およびＨ２Ｃ=ＣＨＣＨ２ＣＨ２ＣＨ２ＣＨ２‐。アルキニル基の代表的な、限定されない例は、次の構造により示される：ＨＣ≡Ｃ‐、ＨＣ≡ＣＣＨ２‐、ＨＣ≡ＣＣ（ＣＨ３）‐、ＨＣ≡ＣＣ（ＣＨ３）２‐、ＨＣ≡ＣＣ（ＣＨ３）２ＣＨ２‐。
【００２１】
各分子末端に不飽和脂肪族炭化水素基を有するポリオキシアルキレンは、当技術分野で公知であり、多くは市販されている。各分子末端に不飽和脂肪族炭化水素基を有するポリオキシアルキレンの代表的、非限定的な例には、
Ｈ２Ｃ＝ＣＨＣＨ２Ｏ［Ｃ３Ｈ６Ｏ］ｄＣＨ２ＣＨ＝ＣＨ２、
Ｈ２Ｃ＝Ｃ（ＣＨ３）ＣＨ２Ｏ［Ｃ３Ｈ６Ｏ］ｄＣＨ２Ｃ（ＣＨ３）＝ＣＨ２、
ＨＣ≡ＣＣＨ２Ｏ［Ｃ３Ｈ６Ｏ］ｄＣＨ２Ｃ≡ＣＨ、
ＨＣ≡ＣＣ（ＣＨ３）２Ｏ［Ｃ３Ｈ６Ｏ］ｄＣ（ＣＨ３）２Ｃ≡ＣＨ
（式中、ｄは上記に定義したとおりである）
が含まれる。
【００２２】
各分子末端に不飽和脂肪族炭化水素基を有するポリオキシアルキレンは、ＮＯＦ（日本油脂、日本国東京）およびＣｌａｒｉａｎｔ社（米国ノースカロライナ州シャーロッツビル）から販売されている。
【００２３】
ヒドロシリル化反応で用いられる成分Ａ）およびＢ）の量はさまざまであってよい。典型的には、成分Ａ）のＳｉＨ単位の、成分Ｂ）の脂肪族不飽和基に対するモル比は、１０／１から１／１０、あるいは５／１から１／５、あるいは２／１から１／２までの範囲である。
【００２４】
（Ｃ）ヒドロシリル化触媒
成分Ｃ）は、ヒドロシリル化反応に典型的に用いられる任意の触媒を含む。白金族金属含有触媒を用いるのが好ましい。白金族は、ルテニウム、ロジウム、パラジウム、オスミウム、イリジウム、および白金ならびにこれらの複合体を意味する。本発明の組成物の製造に有用な白金族金属含有触媒は、ウィリングの米国特許第３，４１９，５９３号およびブラウンらの米国特許第５，１７５，３２５号に記載のとおりに製造された白金錯体である。これらの特許の内容を、そのような錯体およびその製法を示すために、参考として本明細書に組み込む。有用な白金族金属含有触媒の他の例は、リーらの米国特許第３，９８９，６６８号；チャンらの米国特許第５，０３６，１１７号；アシュビーの米国特許第３，１５９，６０１号；Ｌａｍｏｒｅａｕｘの米国特許第３，２２０，９７２号；チョークらの米国特許第３，２９６，２９１号；Ｍｏｄｉｃの米国特許第３，５１６，９４６号；カールシュテットの米国特許第３，８１４，７３０号；およびチャンドラらの米国特許第３，９２８，６２９号に見ることができ、これらすべてを、有用な白金属金属含有触媒およびそれらの製造方法を示すために参考として本明細書に組み込む。白金族含有触媒は、白金族金属、担体（例えば、シリカゲルもしくは粉末木炭など）に堆積させた白金族金属、または白金族金属の化合物もしくは錯体であってもよい。好ましい白金含有触媒としては、六水和物もしくは無水物形態のいずれかのクロロ白金酸、および／または、クロロ白金酸と、脂肪族不飽和有機ケイ素化合物（例えば、ジビニルテトラメチルジシロキサンなど）との反応を含む方法によって得られる白金含有触媒、または２００１年１２月７日出願米国特許出願番号１０／０１７２２９に記載されているとおりのアルケン‐白金‐シリル錯体〔例えば、（ＣＯＤ）Ｐｔ（ＳｉＭｅＣｌ２）２（式中、ＣＯＤは１，５‐シクロオクタジエンであり、Ｍｅはメチルである）〕が挙げられる。これらのアルケン‐白金‐シリル錯体は、例えば０．０１５モルの（ＣＯＤ）ＰｔＣｌ２と、０．０４５モルのＣＯＤおよび０．０６１２モルのＨＭｅＳｉＣｌ２とを混合することによって製造することができる。
【００２５】
触媒の適正量は、用いる個々の触媒によって決まる。白金触媒は、組成物中の固形分（非溶媒成分すべて）の全重量パーセントに基づいて百万部あたり少なくても２部（ｐｐｍ）、あるいは４〜２００ｐｐｍの白金を与えるのに十分な量で存在させるべきである。典型的には、白金を、同じ基準で４から１５０重量ｐｐｍの白金を与えるのに十分な量で存在させる。触媒は、単一種として添加することができ、あるいは二つ以上の異なる種の混合物として添加することができる。
【００２６】
Ｄ）末端不飽和脂肪族炭化水素基を１個有する任意の成分
シリコーン-有機エラストマーは、２〜３０個の炭素を含有する炭化水素基、ポリオキシアルキレン基、およびこれらの基の混合から独立に選ばれる、側鎖の非架橋性部分をも含んでもよい。これらの基は、成分Ｄ）の末端不飽和脂肪族炭化水素基を１個有する有機化合物が付加することによるヒドロシリル化反応によって、シリコーン-有機エラストマー上に形成される。成分Ｄ）は、
成分Ｄ’）６−３０個の炭素を含有し、末端不飽和脂肪族炭化水素基を１個有する炭化水素、および／または
成分Ｄ”）末端不飽和脂肪族基を１個有するオキシアルキレン
から選択することができる。
【００２７】
成分Ｄ）を添加することによって、結果として得られるシリコーン-有機エラストマーの化学的および物理的特性を変化させることができる。例えば、Ｄ’を選択すると、炭化水素基をシリコーン-有機エラストマーに付加することになり、したがって、シリコーン-有機エラストマーの疎水性特性をより高めることになる。逆に、エチレンオキシド単位を過半数有するポリオキシアルキレンを選択すると、親水性が高められたシリコーン-有機エラストマーが得られることになり、これにより、その後、水または親水性成分をシリコーン-有機エラストマーに組み入れて、懸濁液またはペーストを形成させることができる。
【００２８】
Ｄ’またはＤ”中の不飽和脂肪族炭化水素基は、アルケニルであっても、アルキニル基であってもよい。アルケニル基の代表的な、限定されない例は、次の構造により示される：Ｈ２Ｃ=ＣＨ‐、Ｈ２Ｃ=ＣＨＣＨ２‐、Ｈ２Ｃ=Ｃ（ＣＨ３）ＣＨ２‐、Ｈ２Ｃ=ＣＨＣＨ２ＣＨ２‐、Ｈ２Ｃ=ＣＨＣＨ２ＣＨ２ＣＨ２‐、およびＨ２Ｃ=ＣＨＣＨ２ＣＨ２ＣＨ２ＣＨ２‐。アルキニル基の代表的な、限定されない例は、次の構造により示される：ＨＣ≡Ｃ‐、ＨＣ≡ＣＣＨ２‐、ＨＣ≡ＣＣ（ＣＨ３）‐、ＨＣ≡ＣＣ（ＣＨ３）２‐、ＨＣ≡ＣＣ（ＣＨ３）２ＣＨ２‐。
【００２９】
成分Ｄ’）は、６〜３０個の炭素を有し、末端不飽和脂肪族基を１個有する炭化水素であり、アルファオフェフィン、例えば、１‐ヘキセン、１‐オクテン、１‐デセン、１‐ウンデセン、１‐デカデセン、および類似の同族体から選択することができる。成分Ｄ’）は、アリール含有炭化水素、例えば、アルファメチルスチレンなどから選択することができる。
【００３０】
成分Ｄ”）は、平均式：
Ｒ３Ｏ‐［（Ｃ２Ｈ４Ｏ）ｃ’（Ｃ３Ｈ６Ｏ）ｄ’（Ｃ４Ｈ８Ｏ）ｅ］‐Ｒ４
（式中、Ｒ３は、２から１２個の炭素原子を有する一価不飽和脂肪族炭化水素基であり、
ｃ’は、０から１００までであり、ｄ’は０から１００までであり、ｅは０から１００までであり、ただしｃ’、ｄ’、およびｅの合計は０より大きく、
Ｒ４は、水素、アシル基、または１から８個の炭素を含有する一価炭化水素である）
を有するポリオキシアルキレンから選択してもよい。
成分Ｄ”）として有用なポリオキシアルキレンの代表的な、限定されない例として、
Ｈ２Ｃ＝ＣＨＣＨ２Ｏ（Ｃ２Ｈ４Ｏ）ｃ’Ｈ、
Ｈ２Ｃ＝ＣＨＣＨ２Ｏ（Ｃ２Ｈ４Ｏ）ｃ’ＣＨ３、
Ｈ２Ｃ＝ＣＨＣＨ２Ｏ（Ｃ２Ｈ４Ｏ）ｃ’Ｃ（Ｏ）ＣＨ３、
Ｈ２Ｃ＝ＣＨＣＨ２Ｏ（Ｃ２Ｈ４Ｏ）ｃ’（Ｃ３Ｈ６Ｏ）ｄ’Ｈ、
Ｈ２Ｃ＝ＣＨＣＨ２Ｏ（Ｃ２Ｈ４Ｏ）ｃ’（Ｃ３Ｈ６Ｏ）ｄ’ＣＨ３、
Ｈ２Ｃ＝ＣＨＣＨ２Ｏ（Ｃ２Ｈ４Ｏ）ｃ’Ｃ（Ｏ）ＣＨ３、
Ｈ２Ｃ＝Ｃ（ＣＨ３）ＣＨ２Ｏ（Ｃ２Ｈ４Ｏ）ｃ’Ｈ、
Ｈ２Ｃ＝ＣＣ（ＣＨ３）２Ｏ（Ｃ２Ｈ４Ｏ）ｃ’Ｈ、
Ｈ２Ｃ＝Ｃ（ＣＨ３）ＣＨ２Ｏ（Ｃ２Ｈ４Ｏ）ｃ’ＣＨ３、
Ｈ２Ｃ＝Ｃ（ＣＨ３）ＣＨ２Ｏ（Ｃ２Ｈ４Ｏ）ｃ’Ｃ（Ｏ）ＣＨ３、
Ｈ２Ｃ＝Ｃ（ＣＨ３）ＣＨ２Ｏ（Ｃ２Ｈ４Ｏ）ｃ’（Ｃ３Ｈ６Ｏ）ｄ’Ｈ、
Ｈ２Ｃ＝Ｃ（ＣＨ３）ＣＨ２Ｏ（Ｃ２Ｈ４Ｏ）ｃ’（Ｃ３Ｈ６Ｏ）ｄ’ＣＨ３、
Ｈ２Ｃ＝Ｃ（ＣＨ３）ＣＨ２Ｏ（Ｃ２Ｈ４Ｏ）ｃ’Ｃ（Ｏ）ＣＨ３、
ＨＣ≡ＣＣＨ２Ｏ（Ｃ２Ｈ４Ｏ）ｃ’Ｈ、
ＨＣ≡ＣＣＨ２Ｏ（Ｃ２Ｈ４Ｏ）ｃ’ＣＨ３、
ＨＣ≡ＣＣＨ２Ｏ（Ｃ２Ｈ４Ｏ）ｃ’Ｃ（Ｏ）ＣＨ３、
ＨＣ≡ＣＣＨ２Ｏ（Ｃ２Ｈ４Ｏ）ｃ’（Ｃ３Ｈ６Ｏ）ｄ’Ｈ、
ＨＣ≡ＣＣＨ２Ｏ（Ｃ２Ｈ４Ｏ）ｃ’（Ｃ３Ｈ６Ｏ）ｄ’ＣＨ３、
ＨＣ≡ＣＣＨ２Ｏ（Ｃ２Ｈ４Ｏ）ｃ’Ｃ（Ｏ）ＣＨ３
（式中、ｃ’およびｄ’は上で定義したとおりである）
が挙げられる。
【００３１】
ポリエーテルは、その内容をポリエーテルの教示のために参考として本明細書に組み込む米国特許第６，９８７，１５７号に記載されているものから選ぶこともできる。
【００３２】
成分Ｄ’またはＤ”は、シリコーン-有機エラストマーにその形成中〔すなわち、成分Ａ）、Ｂ）、Ｃ）およびＤ）を反応させると同時に〕に加えるか、最初の反応に加える〔例えば、成分Ａ）のＳｉＨ基の一部の量をＣ）およびＤ）と反応させ、引き続いてさらにＢ）との反応させる〕かのいずれかであってよく、あるいは、ＳｉＨ含量（例えば、シリコーン-有機エラストマーに存在する未反応ＳｉＨ単位に由来するもの）を有する形成されたシリコーン-有機エラストマーに、後で加えることができる。
【００３３】
ヒドロシリル化反応に用いる成分Ｄ’またはＤ”の量はさまざまであってよく、成分Ａ）のＳｉＨ単位と、成分Ｂ）およびＤ）の脂肪族不飽和基とのモル比が１０／１から１／１０までの範囲になるように、反応物中に存在する成分Ｂ）およびＤ）からの全脂肪族不飽和基のモル量を供給する。
【００３４】
（ｉｉ）キャリア液体
シリコーン-有機エラストマー（ｉ）はキャリア液体（ｉｉ）に含有されて、シリコーン-有機ゲル組成物を与える。典型的には、キャリア液体は、シリコーン-有機エラストマーを形成させるためのヒドロシリル化反応を行うために用いる溶媒である。好適なキャリア液体として、有機液体（オイルおよび溶媒）、シリコーン、およびこれらの混合物が挙げられる。
【００３５】
典型的に、キャリア液体は、有機液体である。有機液体は、オイルまたは溶媒と認識されているものを含む。有機液体は、これらだけに限定されないが、芳香族炭化水素、脂肪族炭化水素、アルコール、アルデヒド、ケトン、アミン、エステル、エーテル、グリコール、グリコールエーテル、ハロゲン化アルキル、および芳香族ハライドにより例示される。炭化水素としては、イソドデカン、イソヘキサデカン、Ｉｓｏｐａｒ  Ｌ（Ｃ１１〜Ｃ１３）、Ｉｓｏｐａｒ  Ｈ（Ｃ１１〜Ｃ１２）、水素化ポリデセンが挙げられる。エーテルおよびエステルとしては、ネオペンタン酸イソデシル、ネオペンチルグリコールヘプタノエート、グリコールジステアレート、炭酸ジカプリリル、炭酸ジエチルヘキシル、プロピレングリコールｎ‐ブチルエーテル、エチル３‐エトキシプロピオネート、プロピレングリコールメチルエーテルアセテート、ネオペンタン酸トリデシル、プロピレングリコールメチルエーテルアセタテート（ＰＧＭＥＡ）、プロピレングリコールメチルエーテル（ＰＧＭＥ）、ネオペンタン酸オクチルドデシル、ジイソブチルアジペート、ジイソプロピルアジペート、プロピレングリコールジカプリレート／ジカプレート、オクチルパルミテートが挙げられる。独立した化合物として、あるいはキャリア液体への成分として好適な、追加の有機キャリア液体としては、脂肪、油、脂肪酸、脂肪アルコールが挙げられる。
【００３６】
本キャリア液体は、低粘度オルガノポリシロキサン、揮発性メチルシロキサン、揮発性エチルシロキサン、または揮発性メチルエチルシロキサンであって、２５℃で１から１，０００ｍｍ２／秒の粘度を有するもの、例えば、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデカメチルへプタシロキサン、へプタメチル‐３‐［（トリメチルシリル）オキシ］トリシロキサン、ヘキサメチル‐３，３‐ビス［（トリメチルシリル）オキシ］トリシロキサン、ペンタメチル［（トリメチルシリル）オキシ］シクロトリシロキサン、加えて、ポリジメチルシロキサン、ポリエチルシロキサン、ポリメチルエチルシロキサン、ポリメチルフェニルシロキサン、ポリジフェニルシロキサンなどであってもよい。
【００３７】
ｉ）のシリコーン-有機エラストマーおよびｉｉ）のキャリア液体の量は、組成物が、
２〜９５重量パーセント、あるいは５から９５重量パーセント、あるいは１０から９０重量パーセントのｉ）のシリコーン-有機エラストマーと、
９８〜５重量パーセント、あるいは９５から５重量パーセント、あるいは９０から１０重量パーセントのｉｉ）のキャリア液体と
を含むような量である。
【００３８】
ゲル組成物の製造方法
ゲル組成物を、本開示の製法によって製造することができる。
開示する製法は；
Ｉ）Ａ）平均式：
（Ｒ１３ＳｉＯ０．５）ｖ（Ｒ２２ＳｉＯ）ｘ（Ｒ２ＨＳｉＯ）ｙ
（式中、Ｒ１は水素またはＲ２であり、
Ｒ２は一価ヒドロカルビルであり、
ｖ≧２、ｘ≧０、ｙ≧２である）
のシロキシ単位を含むオルガノ水素シロキサン、
Ｂ）平均式：
Ｒ３Ｏ‐［（Ｃ２Ｈ４Ｏ）ｃ（Ｃ３Ｈ６Ｏ）ｄ（Ｃ４Ｈ８Ｏ）ｅ］‐Ｒ３
（式中、
Ｒ３は、２から１２個の炭素原子を有する一価不飽和脂肪族炭化水素基であり、
ｃは、０から１００までであり、
ｄは、０から１００までであり、
ｅは、０から１００までであり、
ただし、（ｄ＋ｅ）／（ｃ＋ｄ＋ｅ）の比が０．５よりも大きい）
を含むポリオキシアルキレン、
Ｃ）ヒドロシリル化触媒、
ならびに、任意に、
Ｄ’）６〜３０個の炭素を含有し、末端不飽和脂肪族炭化水素基を１個有する炭化水素、
Ｄ”）末端不飽和脂肪族基を１個有するポリオキシアルキレン、
またはＤ’）およびＤ”）の混合物を、
ｉｉ）キャリア液体の存在下で
反応させて、ゲルを形成させる工程を含む。
【００３９】
成分Ａ）、Ｂ）、Ｃ）、およびＤ）およびキャリア液体ｉｉ）、ならびに本方法に用いる量は、上述したものと同じである。工程Ｉ）における成分Ａ）、Ｂ）、Ｃ）、および任意のＤ）の添加順序は、重要ではない。典型的には、成分Ａ）、Ｂ）、および場合によりＤ）を、キャリア液体と共に撹拌しながら混ぜ合わせ、この混合物を、７０−９０℃に加熱する。その後ヒドロ化シリル反応を引き起こすために触媒Ｃ）を添加する。あるいは、成分Ａ）およびＤ）を混ぜ合わせ、混合し、７０〜９０℃に加熱し、触媒Ｃ）を添加し、その後成分Ｂ）を加える。
【００４０】
本開示の製法は、さらに、オルガノビニルシロキサンをゲル組成物に混合する工程を含むこともできる。オルガノビニルシロキサンは、少なくとも１個のビニル（ＶｉはＣＨ２＝ＣＨ‐である）含有シロキシ単位を有するオルガノポリシロキサンである。すなわち、オルガノポリシロキサン中の少なくとも１個のシロキシ単位が、式（Ｒ２ＶｉＳｉＯ０．５）、（ＲＶｉＳｉＯ）、または（ＶｉＳｉＯ１．５）を有する。オルガノビニルシロキサンを添加すると、ゲル組成物の長期安定性を高めることができる。理論により縛られることは望まないが、本発明者らは、オルガノビニルシロキサンの添加により、シリコーン-有機エラストマーに残存している可能性がある残余のＳｉＨとの反応が起こると考える。
【００４１】
Ｅ）パーソナルまたはヘルスケア活性成分
成分Ｅ）は任意のパーソナルまたはヘルスケア活性成分から選ばれる活性成分である。本明細書で用いる「パーソナルケア活性成分」は、パーソナルケア配合物における添加剤として当技術分野で知られている任意の化合物または化合物の混合物を意味する。この添加剤は、典型的に、毛髪または皮膚を手当てする目的に加えられ、化粧上および／または美容上の利益をもたらす。「ヘルスケア活性成分」は、医薬上または医療上の利点を与えるとして当技術分野で知られている任意の化合物または化合物の混合物を意味する。このように「ヘルスケア活性成分」は、一般的に使用されかつ米国保健福祉省食品医薬局（連邦規制基準タイトル２１（２１巻）、第１章Ｐａｒｔｓ２００−２９９およびＰａｒｔｓ３００−４９９に含まれる）により定義される活性成分または活性薬物成分と認められる物質を含む。
【００４２】
したがって、活性成分には、薬理学的活性、または病気の診断、治療、軽減、処置、もしくは予防における他の直接的な効果を与えること、あるいはヒトまたは他の動物の体の構造または何らかの機能に影響を与えることを意図する任意の成分が含まれる。活性成分には、薬剤製品の製造において化学変化を受け得る成分が含まれ、特定の活性または効果を与えることを意図した修飾された形態で薬剤製品中に存在している。
【００４３】
代表的な活性成分のいくつかの例には、薬剤、ビタミン、ミネラル；ホルモン；局所的な抗菌剤（例えば、抗生物質活性成分、例えば運動選手の脚、乾癬、または白癬の治療のための抗真菌活性成分、および座瘡活性成分など）；収斂活性成分、：デオドラント活性成分；いぼ除去活性成分；コーンおよびカルス除去活性成分；頭、陰部、および体のシラミを処理するための殺シラミ活性成分；ふけ、脂漏性皮膚炎、または乾癬のコントロールのための活性成分；ならびに日焼けの予防または治療用薬剤が含まれる。
【００４４】
本発明の方法における使用に有用な活性成分として、ビタミンおよびその誘導体（「プロビタミン」を含む）が挙げられる。ここで有用なビタミンとして、以下に限定されないが、ビタミンＡ１、レチノール、レチノールのＣ２‐Ｃ１８エステル、ビタミンＥ、トコフェロール、ビタミンＥのエステル、およびこれらの混合物が挙げられる。レチノールとして、トランス‐レチノール、１，３‐シス‐レチノール、１１‐シス‐レチノール、９‐シス‐レチノール、および３，４‐ジデヒドロレチノール、ビタミンＣおよびその誘導体、ビタミンＢ１、ビタミンＢ２、プロビタミンＢ５、パンテノール、ビタミンＢ６、ビタミンＢ１２、ナイアシン、葉酸、ビオチン、およびパントテン酸が挙げられる。他の好適なビタミンおよびここに含まれると考えられるビタミンのＩＮＣＩ名称としては、アスコルビルジパルミテート、アスコルビルメチルシラノールペクチン、アスコルビルパルミテート、アスコルビルステアレート、アスコルビルグルコシド、リン酸アスコルビルナトリウム、アスコルビン酸ナトリウム、硫酸アスコルビル二ナトリウム、リン酸（アスコルビル／トコフェリル）カリウムが挙げられる。
【００４５】
注目すべきは、レチノールは、ビタミンＡの化粧品工業会（ＣＴＦＡ、米国ワシントンＤＣ地区）が指定する化粧品原料の国際命名法（ＩＮＣＩ）の名称である。他の適するビタミンおよびここで含まれると考えられるＩＮＣＩ名称として、レチニルアセテート、レチニルパルミテート、レチニルプロピオネート、α‐トコフェロール、トコフェルソラン、トコフェリルアセテート、トコフェリルリノレレート、トコフェリルニコチネート、およびトコフェリルスクシネートが挙げられる。
【００４６】
ここでの使用に適する市販品のいくつかの例には、ビタミンＡアセテートおよびビタミンＣ〔いずれもＦｌｕｋａ  Ｃｈｅｍｉｅ  ＡＧ．（スイス国ブックス）の商品〕；ＣＯＶＩ−ＯＸ  Ｔ−５０〔ヘンケルコーポレーション（米国イリノイ州ラ・グランジ）のビタミンＥ製品〕；ＣＯＶＩ−ＯＸ  Ｔ−７０〔ヘンケルコーポレーション（米国イリノイ州ラ・グランジ）の他のビタミンＥ製品〕；およびビタミンＥアセテート〔Ｒｏｃｈｅビタミン＆ファインケミカル（米国ニュージャージー州ナトリー）の製品〕がある。
【００４７】
本発明の方法において使用することができる活性成分は、活性薬剤成分であってよい。使用することができるいくつかの好適な活性薬剤成分の代表的な例は、ヒドロコルチゾン、ケトプロフェン、チモロール、ピロカルピン、アドリアマイシン、マイトマイシンC、モルヒネ、ヒドロモルフォン、ジルチアゼム、テオフィリン、ドキソルビシン、ダウノルビシン、ヘパリン、ペニシリンG、カルベニシリン、セファロチン、セホキシチン、セフォタキシム、5-フルオロウラシル、シタラビン、6-アザウリジン、6-チオグアニン、ビンブラスチン、ビンクリスチン、硫酸ブレオマイシン、アウロチオグルコース、スラミン、メベンダゾール、クロニジン、スコポラミン、プロプラノロール、フェニルプロパノラミン塩酸塩、ウアベイン、アトロピン、ハロペリドール、イソソルビド、ニトログリセリン、イブプロフェン、ユビキノン、インドメタシン、プロスタグランジン、ナプロキセン、サルブタモール、グアナベンズ、ラベタロール、フェニラミン、メトリホネート、およびステロイド類である。
【００４８】
本発明の目的のためにここで活性薬剤成分として含むことが想定されるものは、抗座瘡剤（例えば、過酸化ベンゾイルおよびトレチノインなど）；抗菌物質（例えば、クロロヘキサジエングルコネートなど）；抗真菌剤（例えば、硝酸ミコナゾールなど）；抗炎症剤、コルチコステロイド剤；非ステロイド抗炎症性剤（例えば、ジクロフェナクなど）；抗乾癬剤（例えば、プロピオン酸クロベタゾールなど）；麻酔剤（例えば、リドカインなど）；抗掻痒剤；抗皮膚炎剤；およびバリア膜と一般に考えられている薬剤である。
【００４９】
本発明の活性剤Ｅ）は、タンパク質、例えば酵素であってよい。これらの組成物において酵素を内部に含ませることは、酵素が不活性化されることを避け、酵素の生物活性効果をより長い時間維持するために有利である。酵素には、これらだけに限られないが、商業的に入手可能な種類のもの、改良型、組換え型、野生型、天然には存在しない変種、およびこれらの混合物が含まれる。例えば、好適な酵素には、ヒドロラーゼ、クチナーゼ、オキシダーゼ、トランスフェラーゼ、還元酵素、ヘミセルラーゼ、エステラーゼ、イソメラーゼ、ペクチナーゼ、ラクターゼ、ペルオキシダーゼ、ラッカーゼ、カタラーゼおよびこれらの混合物が含まれる。ヒドロラーゼには、これらだけに限られないが、プロテアーゼ（バクテリア、菌類、酸、中性、あるいはアルカリ性）、アミラーゼ（アルファまたはベータ）、リパーゼ、マンナナーゼ、セルラーゼ、コラゲナーゼ、リゾチーム、スーパーオキシドジスムターゼ、カタラーゼ、およびこれらの混合物が含まれる。プロテアーゼには、これらだけに限られないが、トリプシン、キモトリプシン、ペプシン、パンクレアチンおよび他の哺乳動物酵素類；パパイン、ブロメラインおよび他の植物酵素；サブチリシン、エピデルミン、ナイシン、ナリンギナーゼ(L-rhammnosidase)ウロキナーゼおよび他の細菌酵素が含まれる。リパーゼには、これらだけに限られないが、トリアシルグリセロールリパーゼ、モノアシル-グリセリンリパーゼ、リポタンパク質リパーゼ（例えばステアプシン、エレプシン、ペプシン、他の哺乳類、植物、バクテリアのリパーゼおよび精製されたリパーゼなど）が含まれる。天然のパパインは、酵素として好ましい。さらに、刺激ホルモン（例えば、インシュリン）を、これらの酵素と一緒に用いて、これらの効果を高めてもよい。
【００５０】
成分Ｅ）は、サンスクリーン剤であってもよい。サンスクリーン剤は、太陽光への暴露の弊害から皮膚を保護するために当技術分野で知られている任意のサンスクリーン剤から選択することができる。サンスクリーン化合物は、典型的には、紫外線（ＵＶ）光を吸収する、有機化合物、無機化合物、またはこれらの混合物から選択される。したがって、サンスクリーン剤として使用可能な代表的な、制限されない例として、以下のものを挙げることができる：
アミノ安息香酸、シノキサート、ジエタノールアミンメトキシシンナメート、ジガロイルトリオレエート、ジオキシベンゾン、エチル４‐［ビス（ヒドロキシプロピル）］アミノベンゾエート、グリセリルアミノベンゾエート、ホモサレート、ジヒドロキシアセトンとのローソン、メンチルアントラニレート、オクトクリレン、オクチルメトキシシンナメート、オクチルサリチレート、オキシベンゾン、パジメートＯ、フェニルベンゾイミダゾールスルホン酸、レッドペトロラタム、スリソベンゾン、二酸化チタン、およびトロラミンサリチレート、アセトアミノサロール、アラトインＰＡＢＡ（Ａｌｌａｔｏｉｎ  ＰＡＢＡ）、ベンザルフタリド、ベンゾフェノン、ベンゾフェノン１−１２,３‐ベンジリデンカンファー、ベンジリデンカンファー加水分解コラーゲンスルホンアミド、ベンジリデンカンファースルホン酸、ベンジルサリチレート、ボルネロン、ブメトリゾール（Ｂｕｍｅｔｒｉｚｏｌｅ）、ブチルメトキシジベンゾイルメタン、ブチルＰＡＢＡ、セリア／シリカ、セリア／シリカ  タルク、シノキサート、ＤＥＡ‐メトキシシンナメート、ジベンゾオキサゾール  ナフタレン（Ｄｉｂｅｎｚｏｘａｚｏｌ  Ｎａｐｈｔｈａｌｅｎｅ）、ジ‐ｔ‐ブチルヒドロキシベンジリデンカンファー、ジガロイルトリオレエート、ジイソプロピルメチルシンナメート、ジメチルＰＡＢＡエチルセテアリールジモニウムトシレート、
ジオクチルブタミドトリアゾン、ジフェニルカルボメトキシアセトキシナフトピラン、ビスエチルフェニルトリアミノトリアジンスチルベンジスルホン酸二ナトリウム、ジスチリルビフェニルトリアミノトリアジンスチルベンジスルホン酸二ナトリウム、ジスチリルビフェニルジスルホン酸二ナトリウム、ドロメトリゾール、ドロメトリゾールトリシロキサン、エチルジヒドロキシプロピルＰＡＢＡ、エチルジイソプロピルシンナメート、エチルメトキシシンナメート、エチルＰＡＢＡ、エチルウロカネート、エトロクリレン（Ｅｔｒｏｃｒｙｌｅｎｅ）フェルラ酸、グリセリルオクタノエートジメトキシシンナメート、グリセリルＰＡＢＡ、グリコールサリチレート、ホモサレート、イソアミルｐ‐メトキシシンナメート、イソプロピルベンジルサリチレート、イソプロピルベンゾイルメタン、メトキシケイ皮酸イソプロピル、メンチルアントラニレート、メンチルサリチレート、４−メチルベンジリデン、カンファー、オクトクリレン、オクトリゾール、オクチルジメチルＰＡＢＡ、オクチルメトキシシンナメート、オクチルサリチレート、オクチルトリアゾン、ＰＡＢＡ  （ｐ‐アミノ安息香酸）、ＰＡＢＡ、ＰＥＧ−２５  ＰＡＢＡ、ペンチルジメチルＰＡＢＡ、フェニルベンゾイミダゾールスルホン酸、ポリアクリルアミドメチルベンジリデンカンファー、メトキシケイ皮酸カリウム、フェニルベンゾイミダゾールスルホン酸カリウム、レッドペトロラタム、フェニルベンゾイミダゾールスルホン酸ナトリウム、ウロカニン酸ナトリウム、ＴＥＡ‐フェニルベンゾイミダゾールスルホン酸、ＴＥＡ‐サリチレート、テレフタリリデンジカンファースルホン酸、二酸化チタン、二酸化亜鉛、二酸化セリウム、トリＰＡＢＡパンテノール、ウロカニン酸、およびＶＡ／クロトネート／メタクリロキシベンゾフェノン‐１コポリマー。
【００５１】
あるいは、サンスクリーン剤は、シンナメートをベースとする有機化合物であり、あるいはサンスクリーン剤は、オクチルメトキシシンナメート〔例えば、Ｕｖｉｎｕｌ（登録商標）ＭＣ８０（パラ‐メトキシケイ皮酸と２‐エチルヘキサノールとのエステル）など〕である。
【００５２】
成分Ｅ）は、芳香剤または香料であってもよい。香料は、一般的に香料業界において用いられているいかなる香料または芳香活性成分であってもよい。これらの組成物は、典型的に、さまざまな化学種に属し、その種類は、アルコール類、アルデヒド類、ケトン類、エステル類、エーテル類、アセテート類、亜硝酸塩類、テルペンの炭化水素類、ヘテロ環式窒素あるいは硫黄含有化合物、ならびに天然または合成由来のエッセンシャルオイルにわたる。これらの香料成分の多くは、標準的な参考文献、例えば、Perfume and Flavour Chemicals, 1969, S. Arctander, Montclair, New Jerseyなどに詳細に記載されている。
【００５３】
芳香剤は、これらだけに限られないが、香料ケトンおよび香料アルデヒドによって例示される。香料ケトンの実例は、ブッコキシム；イソジャスモン；メチルベータナフチルケトン；ムスクインダノン；トナリド／ムスクプラス；アルファ-ダマスコン、ベータ-ダマスコン、デルタ-ダマスコン、イソ-ダマスコン、ダマスセノン、ダマローズ、メチル-ジヒドロジャスモネート、メントン、カルボン、カンファー、フェンコン、アルファ-ロノン、ベータ-ロノン、ガンマ-メチルロノン、フラモン、ジヒドロジャスモン、シス形ジャスモン、イソ-E-スーパー、メチル-セドレニル-ケトンまたはメチル-セドリロン、アセトフェノン、メチル-アセトフェノン、パラ-メトキシ-アセトフェノン、メチル-ベータ-ナフチル-ケトン、ベンジル-アセトン、ベンゾフェノン、パラ-ヒドロキシ-フェニル-ブタノン、セロリケトンもしくはリブスコン、6-イソプロピルデカヒドロ-2-ナフトン、ジメチル-オクテノン、フレスコメント、4-(1-エトキシビニル)-3,3,5,5,-テトラメチル-シクロヘキサノン、メチルヘプテノン、2-(2-(4-メチル-3-シクロヘキセン-1-イル)プロピル)-シクロペンタノン、1-(p-メンテン-6(2)-イル)-1-プロパノン、4-(4-ヒドロキシ-3-メトキシフェニル)-2-ブタノン、2-アセチル-3,3-ジメチル-ノルボルナン、6,7-ジヒドロー-1,1,2,3,3-ペンタメチル-4(5H)-インダノン、4-ダマスコル、ダルシニル(Dulcinyl)もしくはカシオン(Cassione)、ゲルソン、ヘキサロン、イソシクレモンE、メチルシクロシトロン、メチル-ラベンダー-ケトン、オリボン、パラ-第三級ブチル-シクロヘキサノン、ベルドン、デルフォン、ムスコン、ネオブテノン、プリカトン、ベロウトン、2,4,4,7-テトラメチル-オクト-6-エン-3-オン、およびテトラメランである。
【００５４】
より好ましくは、香料ケトンは、アルファダマスコン、デルタダマスコン、イソダマスコン、カルボン、ガンマ-メチル-ロノン、イソ-e-スーパー、2,4,4,7-テトラメチル-オクト-6-エン-3-オン、ベンジルアセトン、ベータダマスコン、ダマスセノン、メチルジヒドロジャスモネート、メチルセドリロン、およびこれらの混合物から、その芳香特性のために選択される。
【００５５】
好ましくは、香料アルデヒドは、アドキサール；アニスアルデヒド；シマール；エチルバニリン；フロヒドラル；ヘリオナール；ヘリオトロピン；ヒドロキシシトロネラール；コアボン；ラウリン酸アルデヒド；リーラル；メチルノニルアセトアルデヒド；P. T.ブシナール；フェニルアセトアルデヒド；ウンデシレンアルデヒド；バニリン；2,6,10-トリメチル-9-ウンデセナール、3-ドデセン-1-アール、アルファ-n-アミルシンナムアルデヒド、4-メトキシベンズアルデヒド、ベンズアルデヒド、3-(4-tert-ブチルフェニル)-プロパナール、2-メチル-3-(パラ-メトキシフェニル)プロパナール、2-メチル-4-(2,6,6-トリメチル-2(1)-シクロヘキセン-1-イル)ブタナール、3-フェニル-2-プロペナール、シス／トランス-3,7-ジメチル-2,6-オクタジエン-1-アール、3,7-ジメチル-6-オクテン-1-アール、[(3,7-ジメチル-6-オクテニル)オキシ]アセトアルデヒド、4-イソプロピルベンズアルデヒド、1,2,3,4,5,6,7,8-オクタヒドロ-8,8-ジメチル-2-ナフトアルデヒド、2,4-ジメチル-3-シクロヘキセン-1-カルボキサルデヒド、2-メチル-3-(イソプロピルフェニル)プロパナール、1-デカナール；デシルアルデヒド、2,6-ジメチル-5-ヘプテナール、4-(トリシクロ[5.2.1.0(2,6)]-デシリデン-8)-ブタナール、オクタヒドロ-4,7-メタノ-1H-インデンカルボキサルデヒド、3-エトキシ-4-ヒドロキシベンズアルデヒド、パラ-エチル-アルファ,アルファ-ジメチルヒドロシンナムアルデヒド、アルファ-メチル-3,4-(メチレンジオキシ)-ヒドロシンナムアルデヒド、3,4-メチレンジオキシベンズアルデヒド、アルファ-n-ヘキシル経皮アルデヒド、m-シメン-7-カルボキサルデヒド、アルファ-メチル-フェニル-アセトアルデヒド、7-ヒドロキシ-3,7-ジメチルオクタナール、ウンデセナール、2,4,6-トリメチル-3-シクロヘキセン-1-カルボキサルデヒド、4-(3)(4-メチル-3-ペンテニル)-3-シクロヘキセン-カルボキサルデヒド、1-ドデカナール、2,4-ジメチル-シクロヘキセン-3-カルボキサルデヒド、4-(4-ヒドロキシ-4-メチルペンチル)-3-シクロヘキセン-1-カルボキサルデヒド、7-メトキシ-3,7-ジメチルオクタン-1-アール、2-メチルウンデカナール、2-メチルデカナール、1-ノナナール、1-オクタナール、2,6,10-トリメチル-5,9-ウンデカジエナール、2-メチル-3-(4-tert-ブチル)プロパナール、ジヒドロシンナムアルデヒド、1-メチル-4-(4-メチル-3-ペンテニル)-3-シクロヘキセン-1-カルボキシアルデヒド、5-または6-メトキシル-ヘキサヒドロ-4,7-メタノインダン-1-もしくは2-カルボキシアルデヒド、3,7-ジメチルオクタン-1-アール、1-ウンデカナール、10-ウンデセン-1-アール、4-ヒドロキシ-3-メトキシベンズアルデヒド、1-メチル-3-(4-メチルペンチル)-3-シクロヘキセンカルボキシアルデヒド、7-ヒドロキシ-3,7-ジメチル-オクタナール、trans-4-デセナール、2,6-ノナジエナール、パラトリルアセトアルデヒド；4-メチルフェニルアセトアルデヒド、2-メチル-4-(2,6,6-トリメチル-1-シクロヘキセン-1-イル)-2-ブテナール、オルトメトキシシンナムアルデヒド、3,5,6-トリメチル-3-シクロヘキセンカルボキサルデヒド、3,7-ジメチル-2-メチレン-6-オクテナール、フェノキシアセトアルデヒド、5,9-ジメチル-4,8-デカジエナール、シャクヤクアルデヒド(6,10-ジメチル-3-オキサ-5,9-ウンデカジエン-1-アール)、ヘキサヒドロ-4,7-メタノインダン-1-カルボキサルデヒド、2-メチルオクタナール、アルフ���-メチル-4-(1-メチルエチル)ベンゼンアセトアルデヒド、6,6-ジメチル-2-ノルピネン-2-プロピオンアルデヒド、パラメチルフェノキシアセトアルデヒド、2-メチル-3-フェニル-2-プロペン-1-アール、3,5,5-トリメチルヘキサナール、ヘキサヒドロ-8,8-ジメチル-2-ナフトアルデヒド、3-プロピル-ビシクロ[2.2.1]-ヘプタ-5-エン-2-カルバルデヒド、9-デセナール、3-メチル-5-フェニル-1-ペンタナール、メチルノニルアセトアルデヒド、ヘキサナール、trans-2-ヘキセナール、1-p-メンテン-q-カルボキサルデヒド、およびこれらの混合物から、その芳香特性のために選択される。
【００５６】
より好ましいアルデヒドは、1-デカナール、ベンズアルデヒド、フロヒドラル、2,4-ジメチル-3-シクロヘキセン-1-カルボキシアルデヒド；シス／トランス-3,7-ジメチル-2,6-オクタジエン-1-アール；ヘリオトロピン；2,4,6-トリメチル-3-シクロヘキセン-1-カルボキサルデヒド；2,6-ノナジエナール；アルファ-n-アミルシンナムアルデヒド、アルファ-n-ヘキシルシンナムアルデヒド、P.T.ブシナール、リーラル、シマール、メチルノニルアセトアルデヒド、ヘキサナール、trans-2-ヘキセナール、およびこれらの混合物から、その芳香特性のために選択される。
【００５７】
香料成分の上記リストのうち、一部は当分野で従来知られている商業名であり、異性体をも含む。このような異性体も、本発明の使用に適している。
【００５８】
成分Ｅ）は、１種以上の植物抽出物であってもよい。これらの成分の例は、以下のとおりである：アシタバ抽出物、アボカド抽出物、アジサイ抽出物、ムクゲ抽出物、アルニカ抽出物、アロエ抽出物、アプリコット抽出物、キョウニン抽出物、イチョウの抽出物、ウイキョウ抽出物、ウコン[Curcuma]抽出物、ウーロン茶抽出物、バラの実抽出物、エキナシア抽出物、オウゴン抽出物およびPhellodendro樹皮抽出物、日本のオウレン抽出物、大麦抽出物、Hyperium抽出物、白イラクサ抽出物およびオランダガラシ抽出物、オレンジ抽出物、乾燥させた海水、海藻抽出物、加水分解エラスチン、加水分解小麦パウダー、加水分解シルク、カミツレ抽出物、ニンジン抽出物、ヨモギ抽出物、カンゾウ抽出物、ハイビスカス茶抽出物、火棘(Pyracantha Fortuneana)の実の抽出物、キーウィ抽出物、キナ皮抽出物、キュウリ抽出物、グアノシン、クチナシ抽出物、クマザサ抽出物、クジン抽出物、クルミ抽出物、グレープフルーツ抽出物、クレマチス抽出物、クロレラエキス、クワ抽出物、ゲンチアナエキス、紅茶抽出物、酵母エキス、ゴボウ抽出物、米糠酵母抽出物、コメ胚芽油、コンフリー抽出物、コラーゲン、コケモモ抽出物、クチナシ抽出物、サイシン抽出物、ミシマサイコ族の抽出物、臍帯抽出物、サルビア抽出物、サボンソウ抽出物、竹エキス、サンザシの実抽出物、サンショウの実抽出物、椎茸抽出物、ジオウ抽出物、
ムラサキ抽出物、シソ抽出物、シナノキ抽出物、フィリペンデュラ抽出物、シャクヤク抽出物、ショウブ根抽出物、シラカバ抽出物、トクサ抽出物、ヘデラヘリックス(ツタ)抽出物、サンザシ抽出物、ニワトコ黒質抽出物、セイヨウノコギリソウ抽出物、セイヨウハッカ抽出物、セージ抽出物、ゼニアオイ抽出物、センキュウの根抽出物、日本の緑のゲンチアナ抽出物、大豆抽出物、タイソウ抽出物、タイムエキス、茶エキス、ショウコウ抽出物、イネ科白茅抽出物、チンピの抽出物、日本のアンゼリカ根抽出物、キンセンカ抽出物、トウニン抽出物、トウヒ抽出物、ドクダミ抽出物、トマト抽出物、納豆抽出物、チョウセンニンジン抽出物、緑茶抽出物(camelliea sinesis)、ニンニクエキス、野バラ抽出物、ハイビスカスエキス、バクモンドウ抽出物、ハス抽出物、パセリ抽出物、ハチミツ、マンサク抽出物、パリエタリア抽出物、エンメイソウ抽出物、ビサボロール抽出物、ビワ抽出物、カントウ抽出物、フキ抽出物、ブクリョウ抽出物、肉屋ほうき抽出物、ブドウ抽出物、プロポリスエキス、ヘチマ抽出物、紅花抽出物、ペパーミント抽出物、リンデン抽出物、シャクヤク抽出物、ホップ抽出物、松の木抽出物、マロニエ抽出物、ミズバショウ[Lysichiton camtschatcese]抽出物、ムクロジ皮抽出物、メリッサ抽出物、桃抽出物、ヤグルマギク抽出物、ユーカリ抽出物、雪の下抽出物、シトロン抽出物、ヨクイニン抽出物、ヨモギ抽出物、ラベンダー抽出物、りんご抽出物、レタス抽出物、レモンエキス、中国のレンゲ抽出物、バラ抽出物、ローズマリー抽出物、ローマンカミツレ抽出物、およびローヤルゼリー抽出物。
【００５９】
シリコーンゲル組成物中に存在する成分Ｅ）の量は変化し得るが、典型的には次のように変動し得る；シリコーンゲル組成物中の成分Ａ）、Ｂ）、Ｃ）およびＤ）の合計重量である、組成物中のシリコーンエラストマーゲルの重量に基づいて、
０．０５から５０重量％、あるいは１から２５重量％、あるいは１から１０重量％。
【００６０】
活性成分である成分Ｅ）は、シリコーンエラストマーを製造する際にシリコーンゲル組成物に添加する（前配合法）か、シリコーンエラストマーのゲルが形成された後にシリコーンゲル組成物に添加する（後配合法）かのいずれであってもよい。
【００６１】
［シリコーン-有機エラストマーを含有するゲルペースト組成物］
本発明のゲル組成物を用いて、ゲルペースト組成物を形成することができる。すなわち：
Ｉ）上述したシリコーン-有機エラストマーゲルをせん断にかけ、
ＩＩ）せん断したシリコーン-有機エラストマーゲルを、
追加量の、ｉｉ）上述したキャリア液体、および
場合により、Ｅ）パーソナルまたはヘルスケア活性成分
と混合することによって、ゲルペースト組成物を形成させることができる。
【００６２】
本発明のシリコーン-有機エラストマーゲル組成物は、キャリア液体中に分散された不連続架橋シリコーン-有機エラストマーであると考えることができる。シリコーン-有機エラストマーゲル組成物は、多くの有機液体およびシリコーン液体の効果的なレオロジー増粘剤でもある。したがって、これらを用いて、有用なゲルブレンド組成物、例えば「ペースト」組成物などを調製することができる。
【００６３】
このようなシリコーン-有機エラストマーペーストを製造するために、既知の初期エラストマー含量の上記シリコーン-有機エラストマーゲルを、せん断にかけて小粒径のものを得、これを、場合によりさらに希釈して最終エラストマー含量にすることができる。本明細書において「せん断にかける」は、任意のせん断混合法、例えば、ホモジナイジング、ソノレーティング、またはせん断混合として当技術分野で知られているその他の混合法を指す。シリコーン-有機エラストマーゲル組成物をせん断混合すると、粒径が低減された組成物が得られる。その結果生じた粒径が低減された組成物を、その後、追加量のｉｉ）のキャリア液体とさらに混合する。典型的には、ゲルペーストを形成させるためにゲルに加えるキャリア液体の量は、３０重量％、あるいは２０重量％、あるいは１０重量％のシリコーン-有機エラストマーを含有するゲルペースト組成物を提供するに十分な量である。キャリア液体は、上述した任意のキャリア液体であってよいが、典型的には脂肪族炭化水素である。ｉｉ）のキャリア液体と、シリコーン-有機エラストマー組成物とを混合する技術は、典型的には、単純な攪拌または混合である。得られる組成物は、ブロックフィールドＤＶＩＩ＋粘度計（ヘリパス付属品付）で、スピンドルＴ−Ｄ（２０．４ｍｍクロスバー）を用い、２．５ｒｐｍで測定して、少なくとも５０Ｐａ・秒、あるいは少なくとも１００Ｐａ・秒、あるいは２００Ｐａ・秒の粘度を有するペーストと考えられ得る。
【００６４】
あるいは、ゲルペースト組成物は、
Ｉ）（上述した）シリコーン-有機エラストマーゲルをせん断下で調製する工程と、
ＩＩ）せん断したシリコーン-有機エラストマーゲルを、
追加量のｉｉ）のキャリア液体（上述したもの）、および
場合により、Ｅ）パーソナルケアまたはヘルスケア活性成分
と混合して、ゲルペースト組成物を形成させる工程と
によって形成され得る。
【００６５】
Ｆ）追加の任意成分
本発明の組成物は、多くの追加の成分を含むことができる。より詳細には、これらの追加の成分は、当分野でパーソナルケア配合物の成分となり得ることが知られている成分から選択される。例示的な、非限定的例には、界面活性剤、溶媒、パウダー、着色剤、増粘剤、ワックス、安定剤、ｐＨ調整剤、およびシリコーン類が含まれる。
【００６６】
増粘剤は、都合のよい粘度を与えるために添加することができる。例えば、２５℃で５００〜２５，０００ｍｍ２／秒、あるいは３，０００〜７，０００ｍｍ２／秒の範囲の粘度が通常好ましい。好ましい増粘剤は、アルギン酸ナトリウム、アラビアゴム、ポリオキシエチレン、グアーガム、ヒドロキシプロピルグアーガム、エトキシル化アルコール類（例えば、ラウレス-4またはポリエチレングリコール400など）、セルロース誘導体（メチルセルロース、メチルヒドロキシプロピルセルロース、ヒドロキシプロピルセルロース、ポリプロピルヒドロキシエチルセルロースによって例示されるもの）、デンプン、ならびにデンプン誘導体（ヒドロキシエチルアミロースおよびデンプンアミロースによって例示されるもの）、ローカストビーンガム、電解質（塩化ナトリウムおよび塩化アンモニウムによって例示されるもの）、単糖類（例えば、フルクトースおよびグルコースなど）、単糖類の誘導体（例えば、ＰＥＧ−１２０メチルグルコースジオレートなど）、またはこれらの２種以上の混合物によって例示される。あるいは増粘剤は、セルロース誘導体、単糖類誘導体、電解質、または上記増粘剤の２種以上の組合せ（セルロース誘導体と任意の電解質との組合せ、デンプン誘導体と任意の電解質との組合せによって例示されるもの）から選択される。増粘剤は、本発明のシャンプー組成物中で５００〜２５，０００ｍｍ２／秒の最終的なシャンプー組成物の粘度をもたらすために十分な量で使用する。あるいは、増粘剤は、組成物の総重量に基づいて０．０５重量％〜１０重量％、あるいは０．０５重量％〜５重量％の量で存在する。
【００６７】
安定剤は、組成物の水相中に用いることができる。好適な水相安定剤には、１種以上の電解質、ポリオール類、アルコール類（例えば、エチルアルコールなど）、および親水コロイドが、単独でまたは組み合わせで含まれ得る。典型的な電解質は、アルカリ金属塩およびアルカリ土類金属塩、とりわけナトリウム、カリウム、カルシウムおよびマグネシウムの塩酸塩、ホウ酸塩、クエン酸塩および硫酸塩、ならびにアルミニウムクロロハイドレードおよび高分子電解質、とりわけヒアルロン酸およびヒアルロン酸ナトリウムである。安定化剤が、電解質であるかまたはこれらを含む場合、その量は、総組成物の約０．１重量％〜５重量％、あるいは０．５重量％〜３重量％である。親水性コロイドには、ゴム（例えば、キサンタンガムまたはビーガムなど）および増粘剤（例えば、カルボキシメチルセルロースなど）が含まれる。ポリオール類（例えば、グリセリン、グリコール、およびソルビトールなど）も使用することができる。別のポリオール類は、グリセリン、プロピレングリコール、ソルビトール、およびブチレングリコールである。ポリオール類を大量に使用する場合、電解質を添加する必要はない。しかし、典型的には、電解質、ポリオール、および親水性コロイドの組合せ（例えば、硫酸マグネシウム、ブチレングリコール、およびキサンタンガム）を、水相を安定化するために使用する。
【００６８】
その他の添加剤として、特に、本発明による組成物がメーキャップに使用される目的とする場合には、パウダーおよび顔料を挙げることができる。本発明のパウダー成分は通常乾燥した、０．０２〜５０ミクロンの粒径を有する粒子状物質として一般的に定義することができる。粒子状物質は着色されていても、または着色されていなくても（例えば白色であっても）よい。好適なパウダーは、以下に限定されないが、塩化酸化ビスマス、チタネート化雲母、ヒュームドシリカ、球状シリカビーズ、ポリメチルメタクリレートビーズ、窒化ボロン、ケイ酸アルミニウム、アルミニウムデンプンオクテニルスクシネート、ベントナイト、カオリン、ケイ酸マグネシウムアルミニウム、シリカ、タルク、雲母、二酸化チタン、カオリン、ナイロン、シルク粉末が挙げられる。上述のパウダーは、粒子に疎水性の性質を付与するために表面が処理されていてもよい。
パウダー成分は、種々の有機および無機顔料をも含む。パウダー顔料は、一般に、アゾ、インジゴイド、トリフェニルメタン、アントラキノン、およびキサンチン染料を含む種々の芳香族型の顔料であり、それらはＤ＆ＣおよびＦＤ＆Ｃブルー、ブラウン、グリーン、オレンジ、レッド、イェローなどと指名されている。無機顔料は、一般に、認定色添加剤の不溶性金属塩からなり、レーキまたは酸化鉄と称される。粉末着色剤（例えば、カーボンブラック、酸化クロムまたは酸化鉄、ウルトラマリン、ピロリン酸マンガン、紺青、および二酸化チタンなど）、真珠光沢剤（通常、着色顔料との混合物として用いられるもの）、または有機染料（通常、着色顔料との混合物として用いられ、かつ化粧品産業で通例用いられるもの）を、組成物に加えることができる。一般に、これらの着色剤は、最終組成物の重量に対して０から２０％の量で存在していてよい。
粉末無機または有機充填剤を、一般に、最終組成物の重量に対して０から４０％の量で添加することができる。これら粉末充填剤は、タルク、雲母、カオリン、酸化亜鉛または酸化チタン、炭酸カルシウムまたは炭酸マグネシウム、シリカ、球状二酸化チタン、ガラスまたはセラミックビーズ、８−２２個の炭素原子を有するカルボン酸から誘導される金属石鹸、非膨張性合成ポリマーパウダー、膨張性パウダー、および天然有機化合物（例えば、穀物デンプンなど、架橋されたかまたは架橋されていないもの）からのパウダー、コポリマーミクロスフェア〔例えば、ＥＸＡＮＣＥＬ（Ｎｏｂｅｌ  Ｉｎｄｕｓｔｒｉｅ）〕、ポリトラップ（ｐｏｌｙｔｒａｐ）、ならびにシリコーン樹脂ミクロビーズ（例えば、トスパール、東芝製）から選択することができる。
【００６９】
本発明の組成物に有用なワックスまたはワックス様材料は、通常大気圧で３５から１２０℃の融点を有する。この範疇のワックスとして、合成ワックス、セレシン、パラフィン、オゾケライト、蜜ろう、カルナウバろう、マイクロクリスタリンワックス、ラノリン、ラノリン誘導体、キャンデリラワックス、カカオ脂、セラックろう、鯨ろう、ぬかろう、カポックワックス（ｃａｐｏｋ  ｗａｘ)、 サトウキビろう、モンタンワックス、鯨ろう、ヤマモモろう、またはこれらの混合物が挙げられる。非シリコーン系脂肪物質として用いることのできるワックスとしては、例えば蜜ろうなどの動物系ワックス；例えばカルナウバ、キャンデリラワックスなどの植物系ワックス；鉱物系ワックス、例としてはパラフィンもしくは亜炭ワックス、またはマイクロクリスタリンワックス、またはオゾケライト；合成系ワックス（例えば、ポリエチレンワックスおよびフィッシャートロプシュ合成により得られたワックスを含む）を挙げることができる。シリコーンワックスとしては、ポリメチルシロキサンのアルキル類、アルコキシ類および／またはエステル類を有するものをあげることができる。
【００７０】
このような任意成分には、他のシリコーン（上述した任意のシリコーンを含む）、有機官能性シロキサン、アルキルメチルシロキサン、シロキサン樹脂、およびシリコーンガムが含まれる。
【００７１】
アルキルメチルシロキサンを、本発明の組成物に含ませることができる。このシロキサンポリマーは、通常、式：Ｍｅ３ＳｉＯ［Ｍｅ２ＳｉＯ］ｙ［ＭｅＲＳｉＯ］ｚＳｉＭｅ３（式中、Ｒは、６〜３０個の炭素原子を含有する炭化水素基であり、Ｍｅはメチルを示し、かつ、重合度（ＤＰ）、すなわちｙおよびｚの合計は３〜５０である）を有する。アルキルメチルシロキサンの揮発性および液状の両方の種を、前記組成物に用いることができる。
【００７２】
シリコーンガムを、本発明の組成物に含ませることができる。ポリジオルガノシロキサンガムは、当技術分野で知られており、市販されている。これらは、通常、２５℃で１，０００，０００センチストーク（ｍｍ２／秒）を超える粘度、好ましくは２５℃で５，０００，０００センチストーク（ｍｍ２／秒）を超える粘度を有する不溶性ポリジオルガノシロキサンからなる。これらのシリコーンガムは、典型的には、加工し易くするために、適する溶剤に既に分散された組成物として販売されている。超高粘度シリコーンを、任意成分として含めることもできる。これらの超高粘度シリコーンは、典型的には、２５℃で５百万センチストーク（ｍｍ２／秒）より高く、２５℃で約２千万センチストーク（ｍｍ２／秒）までである、動粘度を有する。このタイプの組成物は、懸濁液の形状で最も好ましく、例えば米国特許第６，０１３，６８２号（２０００年１月１１日）に記載されている。
【００７３】
シリコーン樹脂を、本発明の組成物に含ませることができる。これらの樹脂組成物は、一般に、高度に架橋したポリマー状シロキサンである。架橋は、三官能性および／または四官能性シランを、製造に用いる一官能性シランおよび／または二官能性シランに組み入れることによって得られる。好適なシリコーン樹脂を得るために必要とされる架橋の程度は、シリコーン樹脂の製造の際に組み入れるシランモノマー単位の種によってさまざまである。一般に、三官能性および四官能性シロキサンモノマー単位を十分なレベルで有し、したがって、乾燥させて剛性または硬質のフィルムとなるために十分なレベルの架橋を有する任意のシリコーンが、シリコーン樹脂として用いるために好適であると考えられる。本明細書において好適な市販のシリコーン樹脂は、一般に、低粘度揮発性シリコーン液体または非揮発性シリコーン液体中、未硬化の形態で市販されている。これらのシリコーン樹脂は、これらが硬化した樹脂状構造としてよりむしろ未硬化の形態で、本発明の組成物に組み入れるべきである。
【００７４】
シリコーンカルビノール液体を、本発明の組成物に含ませることができる。これらの材料は、国際公開第２００３／１０１４１２号に記載されており、一般に、置換ヒドロカルビル官能性シロキサン液体または樹脂として記述することができる。
【００７５】
水溶性または水分散性シリコーンポリエーテル組成物を、本発明の組成物に含ませることができる。これらは、ポリアルキレンオキシドシリコーンコポリマー、シリコーンポリ（オキシアルキレン）コポリマー、シリコーングリコールコポリマー、またはシリコーン界面活性剤としても知られている。これらは、線状の熊手型もしくはグラフト型材料、またはＡＢＡ型〔式中、Ｂはシロキサンポリマーブロックであり、Ａはポリ（オキシアルキレン）基である〕であり得る。ポリ（オキシアルキレン）基は、ポリエチレンオキシド、ポリプロピレンオキシド、または混合ポリエチレンオキシド／ポリプロピレンオキシド基からなっていてよい。その他のオキシド類、例えばブチレンオキシドまたはフェニレンオキシドなども可能である。
【００７６】
本発明による組成物は、シリコーン乳化剤を用いて、油中水、シリコーン中水、または多相のエマルジョンの形で供給され得る。典型的には、このような配合物中のシリコーン中水用乳化剤は、非イオン系であり、ポリオキシアルキレン置換シリコーン、シリコーンアルカノールアミド、シリコーンエステルおよびシリコーングリコシドから選ばれる。適するシリコーンベース界面活性剤は当技術分野では周知であり、例えば米国特許第４，１２２，０２９号（ジィー他）、米国特許第５，３８７，４１７号（Ｒｅｎｔｓｃｈ）、および米国特許第５，８１１，４８７号（シュルツ他）に記載されている。
【００７７】
本発明による組成物が水中油型エマルジョンである場合には、エマルジョンの製造に一般的に用いられる通常の成分、例えば以下に限定されないが、水中油エマルジョンの製造に当技術分野で周知の非イオン性界面活性剤を含む。非イオン性界面活性剤の例として、ポリオキシエチレンアルキルエーテル、ポリオキシエチレンアルキルフェノールエーテル、ポリオキシエチレンラウリルエーテル、ポリオキシエチレンソルビタンモノオレエート、ポリオキシエチレンアルキルエステル、ポリオキシエチレンソルビタンアルキルエステル、ポリエチレングリコール、ポリプロピレングリコール、ジエチレングリコール、エトキシ化トリメチルノナノール、およびポリオキシアルキレングリコール変性ポリシロキサン界面活性剤が挙げられる。
【００７８】
本発明の組成物は、噴霧ガスと組み合わせたエアロゾルの形態であってもよい。噴霧ガスは、例えば、二酸化炭素、窒素、亜酸化窒素、揮発性炭化水素（例えば、ブタン、イソブタン、またはプロパンなど）、塩素化またはフッ素化炭化水素（例えば、ジクロロジフルオロメタンおよびジクロロテトラフルオロエタンなど）、およびジメチルエーテルなどである。
【００７９】
シリコーンエラストマーゲル組成物は、さまざまなパーソナル用、家庭用、およびヘルスケア用の用途に用いることができる。より詳細には、本発明の組成物は、増粘剤として（米国特許第６，０５１，２１６号、同第５，９１９，４４１号、および同第５，９８１，６８０号に記載されている）；構造用オイルに（国際公開第２００４／０６０２７１号および同２００４／０６０１０１に記載されている）；サンスクリーン組成物に（国際公開第２００４／０６０２７６号に記載されている）；フィルム形成性樹脂をさらに含有する化粧品組成物中の構造化剤として（国際公開第０３／１０５８０１号に記載されている）；化粧品組成物中に（米国特許出願公開第２００３／０２３５５５３号、同第２００３／００７２７３０号、同第２００３／０１７０１８８号、欧州特許第１，２６６，６４７号、同１，２６６，６４８第号、同第１，２６６，６５３号、国際公開第０３／１０５７８９号、同第２００４／０００２４７号、および同第０３／１０６６１４号に記載されている）；構造化剤として（国際公開第２００４／０５４５２３号に記載されている）；耐用期間の長い化粧品組成物に（米国特許出願公開第２００４／０１８００３２号に記載されている）；透明または半透明ケアおよび／またはメークアップ組成物に（国際公開第２００４／０５４５２４号に記載されている）、使用することができる。これらの文献全てを、参照により本明細書に組み込む。
【００８０】
シリコーンエラストマーゲルは、これらだけに限定されないが、棒状、柔らかい固体、回転塗布式、エアロゾル、およびポンプスプレーの形態で、制汗およびデオドラント組成物に用いることができる。制汗剤およびデオドラント剤のいくつかの例として、塩化アルミニウム、アルミニウムジルコニウムテトラクロロヒドレックスＧＬＹ、アルミニウムジルコニウムテトラクロロヒドレックスＰＥＧ、アルミニウムクロロヒドレックス、アルミニウムジルコニウムテトラクロロヒドレックスＰＧ、アルミニウムクロロヒドレックスＰＥＧ、アルミニウムジルコニウムトリクロロヒドラート、アルミニウムクロロヒドレックスＰＧ、アルミニウムジルコニウムトリクロロヒドレックスＧＬＹ、ヘキサクロロフェン、塩化ベンザルコニウム、アルミニウムセスキクロロヒドレート、炭酸水素ナトリウム、アルミニウムセスキクロロヒドレックスＰＥＧ、クロロフィリン−銅錯体、トリクロサン、アルミニウムジルコニウムオクタクロロヒドレート、およびリシノール酸亜鉛が挙げられる。
【００８１】
本発明のパーソナルケア組成物は、クリーム、ゲル、パウダー、ペースト、または自由に注ぐことができる液体であってよい。一般に、このような組成物は、室温で組成物中に固体物質が全く存在しない場合には、単純なプロペラミキサー、Brookfield逆回転ミキサー、またはホモジナイジングミキサーを使用して室温で調製することができる。典型的には、特殊な装置または加工条件は全く必要とされない。製造する形態のタイプに応じて調製方法はさまざまであるが、そのような方法は当分野で周知である。
【００８２】
本発明による組成物は、標準的な方法、例えば人体、例として皮膚または毛に、塗布器、ブラシ、手による適用、注ぐ方法、および／または、場合により組成物を体の外または内に塗るかあるいはマッサージするなどの方法によって用いることができる。除去方法、例えばカラー化粧品の除去方法も、よく知られている標準方法であり、洗浄、ふき取り、剥がすなどの工程を含む。皮膚上の使用については、本発明による組成物は、例えば皮膚のコンディショニングなどの従来からの方法で用いられ得る。組成物のその目的のための有効量を、皮膚に適用する。その有効量は、通常約１ｍｇ／ｃｍ２から約３ｍｇ／ｃｍ２までの範囲である。皮膚への適用は、典型的には、組成物を皮膚内に作用させる工程を含む。この皮膚への適用方法は、皮膚を有効量の組成物に接触させる工程、および、その後組成物を皮膚に塗り込む工程を含む。これらの工程は、望ましい利益を実現するため必要に応じて何度でも繰り返すことができる。
【００８３】
本発明による組成物のヘアへの使用には、ヘアのコンディショニングするための従来からの方法を用いることができる。ヘアをコンディショニングするための有効量を、ヘアに適用する。そのような有効量は、通常、約１ｇから５０ｇ、好ましくは約１ｇから約２０ｇまでの範囲である。ヘアへの適用は、典型的には、ほとんどまたはすべてのヘアが組成物に接触するように組成物をヘア全体に作用させる工程を含む。ヘアのコンディショニング方法は、有効量のヘアケア組成物をヘアに適用する工程、および、その後組成物をヘア全体に作用させる工程を含む。これらの工程は、好ましいコンディショニングによる利益を実現するため必要に応じて何度でも繰り返すことができる。シリコーンの高含量を本発明によるヘアケア組成物に組み込む場合には、組成物は、枝毛用ヘア製品用に有用な材料となり得る。
【００８４】
本発明による組成物は人間または動物の皮膚に、例えば保湿、着色、または全体的な外見の改善のために、あるいは、活性成分、例えば日焼け止め剤、デオドラント剤、虫よけなどを適用するために、用いることができる。
【実施例】
【００８５】
これらの実施例は、本発明を当業者に例証することを意図するものであり、特許請求の範囲に記載する本発明の範囲を限定するものと解釈されるべきではない。すべての測定および実験は、別段の指示がない限り２３℃で行った。
［原材料］
オルガノ水素シロキサン１＝平均式：
（ＣＨ３）３ＳｉＯ［（ＣＨ３）２ＳｉＯ］ｘ［（ＣＨ３）ＨＳｉＯ］ｙＳｉ（ＣＨ３）３
〔式中、ｘおよびｙは、オルガノ水素シロキサンが、２３℃で１１６ｍｍ２／秒（ｃＳｔ）の粘度を有し、０．０８４重量％のＨをＳｉＨとして含有するような値である〕
を有するジメチル-メチル水素ポリシロキサン。
オルガノ水素シロキサン２＝平均式：
（ＣＨ３）３ＳｉＯ［（ＣＨ３）２ＳｉＯ］ｘ［（ＣＨ３）ＨＳｉＯ］ｙＳｉ（ＣＨ３）３
〔式中、ｘおよびｙは、オルガノ水素シロキサンが、２３℃で６７（ｃＳｔ）の粘度を有し、０．１５重量％のＨをＳｉＨとして含有するような値である〕
を有するジメチル・メチル水素ポリシロキサン。
オルガノビニルシロキサン＝平均式：
（ＶｉＭｅ２ＳｉＯ０．５）２（Ｍｅ２ＳｉＯ）ｘ
（式中、ｘは、オルガノビニルシロキサンが、２３℃で５ｍｍ２／秒（ｃＳｔ）の粘度を有するような値である）
を有するビニル末端ジメチルポリシロキサン。
ポリアルキルオキシレン：１個もしくは２個のいずれかの末端アリル基と、さまざまな量のプロピレンもしくはエチレンオキシド単位とを有するポリアルキルオキシレン。
これらを、下記表にまとめるように、これらの実施例で使用した。
【化１】
0005663306.tif 000002
ジ-アリル官能性ポリアルキレンオキシドは、相当するＯＨ末端ポリアルキレンオキシドから、ＮａＨとの反応によってアルコキシドを形成させ、次いで、アリルクロライドと反応させて、アリル末端ポリエーテルを形成させることによって製造した。あるいは、ジ-アリル官能性ポリアルキレンオキシドは、商業的に購入することができる。
【００８６】
［実施例１］
〔ポリアルキルオキシレン架橋シリコーン-有機エラストマーを含有するゲルの製造〕
最初に、４２．４０ｇ（ＳｉＨ３５．５ミリモル）のオルガノ水素シロキサン１、９．８３ｇのポリアルキルオキシレン１、および１９４ｇのイソドデカンを、テフロン（登録商標）コーティングされた攪拌バーを有する１６オンス広口ジャーに秤り入れた。次いで、ジャーをシールし、湯浴またはオーブンのいずれかを用いて７０℃に加熱した。このジャーを加熱から外し、次いで、攪拌しながら、０．６ｇのＳＹＬＯＦＦ４０００触媒（０．５２重量％白金）を添加して、白金の濃度を１２ｐｐｍにした。ジャーに栓をし、７０℃の湯浴に入れ、反応混合物がゲル化するまで攪拌を続けた。混合物を、湯浴またはオーブンのいずれかでさらに３時間７０℃に維持して、２１．１％のシリコーン-有機エラストマーを含有するゲルを得た。
【００８７】
異なるプロピレンオキシド単位の含量（１７．３または３４．６）を有するポリアルキルオキシレン架橋シリコーン-有機エラストマー含有ゲルを、上述した手順を用いて合成した。これらのゲル組成物の製造に用いた配合を、表１にまとめる。
【表１】
0005663306.tif 000003
【００８８】
［実施例２（比較）］
〔ヘキサジエン架橋シリコーン-有機エラストマー含有ゲルの製造〕
最初に、５０．３２ｇ（ＳｉＨ４２．２ミリモル）のオルガノ水素シロキサン１、１．８８ｇ（４６．３ｍ当量不飽和）の１，５‐ヘキサジエン、および１９４ｇのイソドデカンを、攪拌バーを有する１６オンス広口ジャーに秤り入れた。８．５％過剰のオレフィン（Ｓｉ−Ｈ：Ｖｉ＝０．９２）は、残余のＳｉ‐Ｈの量を最少化することを意図した。ジャーをシールした後、オーブン内で７０℃に加熱した。ジャーを加熱から外した後、攪拌しながら、０．６ｇのＳＹＬＯＦＦ４０００触媒（０．５２重量％白金）を添加した。これにより、混合物に最高で１２ｐｐｍまでの白金がもたらされた。ジャーに栓をした後、７０℃の湯浴に入れ、反応混合物がゲル化するまで攪拌を続けた。混合物を、オーブン内で７０℃にて３時間維持して、２１．１％のエラストマーを含有するゲルを形成させた。
【００８９】
［実施例３］
〔エラストマーゲルからのゲルペーストの製法〕
実施例１および実施例２で製造したエラストマーゲルを、高せん断混合を用いてゲルペーストに製造した。このせん断工程は、表２〜５に示したペーストを製造するために、イソドデカン、オルガノビニルシロキサン、およびオクチルメトキシシンナメート（ＯＭＣ）を添加する工程を含んでいた。表２の材料を、ワーリング・コマーシャル・ラボラトリー・ブレンダーでせん断にかけた。せん断工程１では、ゲルを設定１で２０秒、次いで設定３で２０秒、次いで設定５で２０秒せん断した。イソドデカンおよびオルガノビニルシロキサンを加え、次いで、次の設定：１、２、３、３でそれぞれ３０秒せん断した。各設定の間に、材料を、スパチュラを用いて混合カップの側面からこすりとった。三番目のせん断工程前に、追加のイソドデカンおよびオクチルメトキシシンナメートを表２に従って加え、次いで、次の設定：１、１、１でそれぞれ２０秒せん断した。各設定の間に、材料を混合カップの側面からこすりとった。表３〜５の材料は、ＦｌａｃｋＴｅｋ社から購入したハウスチャイルド・スピード・ミキサー・モデルＤＡＣ１５０ＦＶＺを用いてせん断した。最初のせん断工程では、ゲルを、最大設定（約３５００ｒｐｍ）で２５秒間せん断した。イソドデカンおよびオルガノビニルシロキサンを加え、次いで、最大設定で２５秒間せん断した。追加のイソドデカンおよびオクチルメトキシシンナメートを加え、材料を、最大設定で２５秒間せん断した。表６の材料は、２つの剪断工程を２５秒間ではなく３０秒間継続させたこと以外は、表３〜５の方法と同じ方法で加工した。
【００９０】
【表２】
0005663306.tif 000004
【００９１】
【表３】
0005663306.tif 000005
【００９２】
【表４】
0005663306.tif 000006
【００９３】
【表５】
0005663306.tif 000007
【００９４】
【表６】
0005663306.tif 000008
【００９５】
［実施例４］
〔ポリアルキルオキシレン架橋シリコーン-有機エラストマーを含有するゲルの、オクチルメトキシシンナメートとの相溶性〕
シリコーン-有機エラストマーゲルの有機相溶性は、この実施例において実証されたとおり、ポリプロピレングリコール（ＰＰＧ）架橋剤の重合度（ＤＰ）を増加させることにより改良することができる。同じオルガノ水素シロキサンを用いる場合、ポリアルコキシレン中のプロピレンオキシド単位の数を増やすと、エラストマー性成分中の有機含量および有機相溶性が高くなる。これは、シリコーン-有機エラストマーゲルに限られた溶解性しか有さないことが知られている有機サンスクリーン剤であるオクチルメトキシシンナメートを用いる本実施例で実証したとおりである。表７にまとめたとおり、シリコーン-有機エラストマーのオクチルメトキシシンナメートとの相溶性は、透明性に基づくとおり、プロピレンオキシドの含量が、（ＤＰすなわち重合度、すなわちプロピレンオキシド単位数によって表示したとおり）増加するにしたがって高くなる。
【００９６】
粘度変化も、相溶性の指標を提供する。表８で示したとおり、ヘキサジエン架橋エラストマーペースト中では、オクチルメトキシシンナメートの濃度が高くなるにつれて粘度が低下するのに対し、ポリプロピレングリコール架橋エラストマーペースト中では、粘度が保持されるかまたは増加した。粘度は、ブルックフィールドＤＶ−ＩＩ＋レオメーターで、ヘリパス付属品およびＴ−Ｄスピンドル（ｔ−バー-ジオメートリ）を用いて、２．５ＲＰＭで測定した。粘度は、サンプルを合成した１日後に測定した。サンプルは、真空脱気し、試験前に最低４時間静置した。データは、サンプルを通過させるダウン・アップの二サイクル中に得た。報告した粘度は、サンプルを通過するｔ‐バーの最初の上方向への通過および二番目の下方向への通過の平均であった。
【００９７】
【表７】
0005663306.tif 000009
【００９８】
【表８】
0005663306.tif 000010
【００９９】
［実施例５］
〔ポリアルキルオキシレン架橋シリコーン-有機エラストマー含有ゲルペーストの、各種パーソナル成分との相溶性〕
表９に、ポリプロピレングリコール架橋剤に基づくシリコーン-有機エラストマーゲルペーストであって、各種のパーソナルケア成分を１５重量％添加レベルで配合したペーストと、ヘキサジエン架橋剤に基づくシリコーン-有機エラストマーゲルペーストとを比較する相溶性データをまとめる。相溶性は、外観（透明性および均質性）と、増粘挙動との両方の評価に基づいている。表１０は、同様の相溶性試験を示すが、２５重量％活性成分を用いている。これらの表でまとめたとおり、相溶性は、ポリプロピレングリコールをエラストマーに組み込むことにより改善された。
【０１００】
【表９】
0005663306.tif 000011
【０１０１】
【表１０】
0005663306.tif 000012
【０１０２】
〔ポリアルキルオキシレン架橋シリコーン-有機エラストマーを含有するゲルの感覚的挙動〕
純粋（neat）なエラストマーゲルペーストの感覚的美観を、訓練されたベテラン感覚パネリストにより評価した。得られた感覚的データを、チャート１および２に示す。これらの図は、ポリアルキルオキシレン架橋シリコーン-有機エラストマーペースト（ペースト２Ａ）と、ヘキサジエン架橋シリコーン-有機エラストマーペーストとの感覚的美観を比較している。この結果から、感覚的プロフィルは類似していることが明らかとなった。
【０１０３】
【化２】
0005663306.tif 000013
【０１０４】
［実施例７］
〔側鎖ポリオキシエチレン基を有するポリアルキルオキシレン架橋シリコーン-有機エラストマーを含有するゲルの製法〕
オルガノ水素シロキサン２、モノアリルポリエーテルのグループ〔ポリ（プロピレンオキシド）またはポリ（エチレンオキシド）のいずれか、ポリアルキルオキシレン４または５〕、およびイソドデカンを反応槽に充填し、７０℃に加熱した。攪拌しながら、４０００触媒〔カールシュテット触媒：１，３‐ジビニル‐１，１，３，３‐テトラメチルジシロキサンで錯体化された白金（０）〕の溶液０．７ｇを添加した。この反応混合物を、７０℃にて１５分間攪拌した。その後、ポリアルキルオキシレン架橋剤（＃２）を反応混合物に加えた。この最終反応混合物を、７０℃に３時間保った。この間にゲルが形成された。実際のゲルの配合を、表１１および１２に示す。ゲルは、表１３に示したとおりに、せん断および追加溶剤を用いてペーストにした。
【０１０５】
【表１１】
0005663306.tif 000014
【０１０６】
【表１２】
0005663306.tif 000015
【０１０７】
【表１３】
0005663306.tif 000016
【０１０８】
これらのペーストを、水と混合した（ペースト２部、水１部）。ポリ（エチレンオキシド）側鎖基を有するペーストは、油中水エマルジョンを形成したのに対し、ポリ（プロピレンオキシド）側鎖基を有するペーストは、エマルジョンを形成しなかった。
【０１０９】
［実施例８］
〔シリコーン-有機ゲルを含有するパーソナルケア配合物〕
本開示の代表的なシリコーン-有機ゲルを含有するパーソナルケア配合物を、本実施例において記載するとおりに調製した。これらの配合物中に用いたシリコーン-有機ペーストは、表６からのペースト２Ａまたは２Ｂであった。（すなわち、特に指定しない限り、各シリコーン-有機ゲルを用いて配合物を作製した。）
【０１１０】
【表１４】
0005663306.tif 000017
【０１１１】
【表１５】
0005663306.tif 000018
【０１１２】
【表１６】
0005663306.tif 000019
【０１１３】
【表１７】
0005663306.tif 000020
【０１１４】
【表１８】
0005663306.tif 000021
【０１１５】
【表１９】
0005663306.tif 000022
【０１１６】
【表２０】
0005663306.tif 000023